(57)【特許請求の範囲】
【請求項１】
メモリとプロセッサとを備える装置であって、モビリティ管理エンティティ（ＭＭＥ）に、
ホーム加入者サーバ（ＨＳＳ）から、無線ローカルエリアネットワーク（ＷＬＡＮ）オフロードがアクセスポイント名（ＡＰＮ）に許可されているかどうかを示す第１のオフロード能力情報を、第１のインタフェースを介して受信させ、
パケットデータネットワーク（ＰＤＮ）接続のＷＬＡＮオフロード能力を示す第２のオフロード能力情報を、前記第１のオフロード能力情報に基づいて判定させ、
前記第２のオフロード能力情報を第２のインタフェースを介してユーザ装置（ＵＥ）に提供させるように構成される、装置。
【請求項２】
前記ＭＭＥに、前記第２のオフロード能力情報を、非アクセス層（ＮＡＳ）シグナリングを介して前記ＵＥに提供させるように構成される、請求項１に記載の装置。
【請求項３】
前記ＭＭＥに、前記第２のオフロード能力情報を、進化型パケットシステム（ＥＰＳ）セッション管理（ＥＳＭ）情報要求メッセージを介して前記ＵＥに提供させるように構成される、請求項１に記載の装置。
【請求項４】
前記ＭＭＥに、前記第２のオフロード能力情報を、前記ＰＤＮ接続の確立に応答して前記ＵＥに提供させるように構成される、請求項１に記載の装置。
【請求項５】
前記ＭＭＥに、アタッチ手順において、前記第１のオフロード能力情報を受信させるように構成される、請求項１から請求項４のいずれか一項に記載の装置。
【請求項６】
前記ＭＭＥに、前記第１のオフロード能力情報に基づいて、どのベアラがＷＬＡＮにオフロード可能であるかを示すベアラオフロード能力情報を判定させるように構成される、請求項１から請求項４のいずれか一項に記載の装置。
【請求項７】
前記ＭＭＥに、前記ベアラオフロード能力情報を前記ＵＥに提供させるように構成される、請求項６に記載の装置。
【請求項８】
前記第１のインタフェースが、ＨＳＳインタフェースを含む、請求項１から請求項４のいずれか一項に記載の装置。
【請求項９】
前記第２のインタフェースが、進化型ＮｏｄｅＢ（ｅＮＢ）インタフェースを含む、請求項１から請求項４のいずれか一項に記載の装置。
【請求項１０】
前記第１のインタフェースと、前記第２のインタフェースと、前記第２のオフロード能力情報を判定するオフロード能力判定モジュールとを備える、請求項１から請求項４のいずれか一項に記載の装置。
【請求項１１】
メモリとプロセッサとを備える装置であって、ユーザ装置（ＵＥ）に、
進化型ＮｏｄｅＢ（ｅＮＢ）を介して、パケットデータネットワーク（ＰＤＮ）接続に対する無線ローカルエリアネットワーク（ＷＬＡＮ）オフロード能力指標を示すオフロード能力情報を、モビリティ管理エンティティ（ＭＭＥ）から受信させ、
前記ＰＤＮ接続に対する前記オフロード能力情報に基づいて、ＷＬＡＮに対する、又はＷＬＡＮからのトラフィックステアリングを実行させるように構成される、装置。
【請求項１２】
前記ＵＥに、前記ＰＤＮ接続に対する前記オフロード能力情報、及び無線アクセスネットワーク（ＲＡＮ）支援情報に基づいて、前記ＷＬＡＮに対する、又は前記ＷＬＡＮからの前記トラフィックステアリングを実行させるように構成される、請求項１１に記載の装置。
【請求項１３】
前記ＲＡＮ支援情報が、１つ又は複数の信号強度しきい値、ＷＬＡＮバックホール情報、１つ又は複数のＷＬＡＮ識別子、及びオフロード優先情報を含むグループからの１つ以上を含む、請求項１２に記載の装置。
【請求項１４】
前記ＵＥに、前記ＭＭＥから、非アクセス層（ＮＡＳ）シグナリング、又は進化型パケットシステム（ＥＰＳ）セッション管理（ＥＳＭ）情報要求メッセージにより、前記オフロード能力情報を、前記ｅＮＢを介して受信させるように構成される、請求項１１に記載の装置。
【請求項１５】
前記ＵＥに、前記ｅＮＢから、どのベアラがＷＬＡＮにオフロードされ得るかを示す無線リソース制御（ＲＲＣ）シグナリングメッセージを受信させるように構成される、請求項１１から請求項１４のいずれか一項に記載の装置。
【請求項１６】
前記オフロード能力情報を記憶するメモリユニットを備える、請求項１１から請求項１４のいずれか一項に記載の装置。
【請求項１７】
前記オフロード能力情報を受信する受信機と、１つ又は複数のアンテナとを備える、請求項１１から請求項１４のいずれか一項に記載の装置。
【請求項１８】
命令を有するコンピュータプログラムであって、前記命令がプロセッサにより実行された場合に、前記プロセッサがモビリティ管理エンティティ（ＭＭＥ）に、
ホーム加入者サーバ（ＨＳＳ）から、無線ローカルエリアネットワーク（ＷＬＡＮ）オフロードがアクセスポイント名（ＡＰＮ）に許可されているかどうかを示す第１のオフロード能力情報を、第１のインタフェースを介して受信させ、
パケットデータネットワーク（ＰＤＮ）接続のＷＬＡＮオフロード能力を示す第２のオフロード能力情報を、前記第１のオフロード能力情報に基づいて判定させ、
前記第２のオフロード能力情報を第２のインタフェースを介してユーザ装置（ＵＥ）に提供させることを可能にする、ように前記命令が機能する、コンピュータプログラム。
【請求項１９】
前記命令が、実行された場合に、前記ＭＭＥに、前記第２のオフロード能力情報を、非アクセス層（ＮＡＳ）シグナリングを介して前記ＵＥに提供させる、請求項１８に記載のコンピュータプログラム。
【請求項２０】
前記命令が、実行された場合に、前記ＭＭＥに、前記第２のオフロード能力情報を、進化型パケットシステム（ＥＰＳ）セッション管理（ＥＳＭ）情報要求メッセージを介して前記ＵＥに提供させる、請求項１８に記載のコンピュータプログラム。
【請求項２１】
前記命令が、実行された場合に、前記ＭＭＥに、前記第２のオフロード能力情報を、前記ＰＤＮ接続の確立に応答して前記ＵＥに提供させる、請求項１８に記載のコンピュータプログラム。
【請求項２２】
命令を有するコンピュータプログラムであって、前記命令がプロセッサにより実行された場合に、前記プロセッサがユーザ装置（ＵＥ）に、
進化型ＮｏｄｅＢ（ｅＮＢ）を介して、パケットデータネットワーク（ＰＤＮ）接続に対する無線ローカルエリアネットワーク（ＷＬＡＮ）オフロード能力指標を示すオフロード能力情報を、モビリティ管理エンティティ（ＭＭＥ）から受信させ、
前記ＰＤＮ接続に対する前記オフロード能力情報に基づいて、ＷＬＡＮに対する、又はＷＬＡＮからのトラフィックステアリングを実行させることを可能にする、ように前記命令が機能する、コンピュータプログラム。
【請求項２３】
前記命令が、実行された場合に、前記ＵＥに、前記ＰＤＮ接続に対する前記オフロード能力情報、及び無線アクセスネットワーク（ＲＡＮ）支援情報に基づいて、前記ＷＬＡＮに対する、又は前記ＷＬＡＮからの前記トラフィックステアリングを実行させる、請求項２２に記載のコンピュータプログラム。
【請求項２４】
前記ＲＡＮ支援情報が、１つ又は複数の信号強度しきい値、ＷＬＡＮバックホール情報、１つ又は複数のＷＬＡＮ識別子、及びオフロード優先情報を含むグループからの１つ以上を含む、請求項２３に記載のコンピュータプログラム。
【請求項２５】
前記命令が、実行された場合に、前記ＵＥに、前記ＭＭＥから、非アクセス層（ＮＡＳ）シグナリング、又は進化型パケットシステム（ＥＰＳ）セッション管理（ＥＳＭ）情報要求メッセージにより、前記オフロード能力情報を、前記ｅＮＢを介して受信させる、請求項２２に記載のコンピュータプログラム。
【請求項２６】
請求項１８から請求項２５のいずれか一項に記載のコンピュータプログラムを記憶したコンピュータ読み取り可能な記憶媒体。
【発明の詳細な説明】
【技術分野】
【０００１】
ここで説明されたいくつかの実施例は、一般に、ユーザ装置（ＵＥ）にオフロード能力情報を提供することに関する。
【０００２】
この出願は、２０１４年１月６日に出願され、“Advanced  Wireless  Communication  Systems  and  Techniques”と表題が付けられた米国仮特許出願第６１／９２４，１９４号の利益と米国仮特許出願第６１／９２４，１９４号からの優先権を主張するとともに、その全体の開示は参照によりここに組み込まれている。
【背景技術】
【０００３】
無線通信装置、例えばモバイル装置は、複数の無線通信技術を利用するように構成され得る。
【０００４】
例えば、ユーザ装置（ＵＥ）機器は、無線ローカルエリアネットワーク（ＷＬＡＮ）接続、例えばワイヤレスフィデリティ（Ｗｉ−Ｆｉ）接続ばかりでばく、セルラ接続、例えばロングタームエボリューション（ＬＴＥ）セルラ接続も利用するように構成され得る
【発明の概要】
【発明が解決しようとする課題】
【０００５】
ＷＬＡＮとセルラネットワークとの間の連携及び／又は統合のレベルを拡張するための解決法の必要性が存在する。
【０００６】
図解の簡素化及び明瞭化のために、図面において示された要素は、一定の比率で必ずしも描かれたわけではない。例えば、いくつかの要素の寸法は、表示の明瞭化のために、他の要素と比較して誇張されているかもしれない。さらに、参照符号は、対応する又は同様の要素を示すために、図面の間で繰り返して使用されるかもしれない。それらの図面は下記でリストされる。
【図面の簡単な説明】
【０００７】
【図１】いくつかの例示的な実施例によるシステムの概要の構成図の説明図である。
【図２】いくつかの例示的な実施例によるユーザ装置（ＵＥ）、無線ローカルエリアネットワーク（ＷＬＡＮ）アクセスポイント（ＡＰ）、ノード及びコアネットワーク（ＣＮ）により実行される動作のシーケンス線図の概要の説明図である。
【図３】いくつかの例示的な実施例によるＵＥ、進化型ＮｏｄｅＢ（ｅＮＢ）及びモビリティ管理エンティティ（ＭＭＥ）により実行される動作のシーケンス線図の概要の説明図である。
【図４】いくつかの例示的な実施例によるＵＥにオフロード能力情報を提供する方法の概要のフローチャートの説明図である。
【図５】いくつかの例示的な実施例によるＵＥ中心のアクセスネットワーク選択の方法の概要のフローチャートの説明図である。
【図６】いくつかの例示的な実施例による製品の概要の説明図である。
【発明を実施するための形態】
【０００８】
下記の詳細な説明において、多数の特定の詳細が、いくつかの実施例の完全な理解を提供するために説明される。しかしながら、いくつかの実施例はこれらの特定の詳細なしで実施され得る、ということが当業者によって理解されることになる。他の場合において、周知の方法、手順、構成要素、ユニット、及び／又は回路は、議論を不明瞭にしないために、詳細に説明されなかった。
【０００９】
例えば、“処理する（processing）”、“演算する（computing）”、“計算する（calculating）”、“判定する（determining）”、“確立する（establishing）”、“分析する（analyzing）”、“チェックする（checking）”などのような用語を使用するここにおける議論は、コンピュータのレジスタ及び／又はメモリ内の物理的（例えば電子的）な量として表されたデータを、コンピュータのレジスタ及び／若しくはメモリ内、又は、動作及び／若しくは処理を実行するための命令を格納し得る他の情報記憶媒体内の物理的な量として同様に表された他のデータに処理するか、及び／又は変換する、コンピュータ、計算プラットフォーム、計算システム、又は他の電子計算装置の（複数の）動作及び／若しくは（複数の）処理を参照し得る。
【００１０】
ここで使用される“多数（plurality）”及び“複数（a  plurality）”という用語は、例えば、“複数（multiple）”又は“２つ以上”を含む。例えば、“複数のアイテム”は、２つ以上のアイテムを含む。
【００１１】
“一実施例”、“実施例”、“例示的な実施例”、“各種の実施例”などへの言及は、そのように説明された（複数の）実施例が特定の特徴、構造又は特性を含むかもしれないが、しかし、全ての実施例が特定の特徴、構造又は特性を必ずしも含むとは限らない、ということを示す。さらに、“一実施例において”という言い回し（phrase）の繰り返された使用は、同じ実施例を参照する場合もあるが、同じ実施例を必ずしも参照するとは限らない。
【００１２】
ここで使用されるように、特に指定のない限り、共通の物体を説明するための順序の形容詞である“第１の”、“第２の”、“第３の”などの使用は、単に、同様の物体の異なる事例が言及されるということを示すとともに、時間的に、空間的に、ランキングで、又はあらゆる他の方法のいずれにおいても、そのように説明された物体が所定の順序でなければならない、と示唆することを意図していない。
【００１３】
いくつかの実施例は、様々な装置及びシステム、例えば、ユーザ装置（ＵＥ）、モバイル装置（ＭＤ）、無線ステーション（ＳＴＡ）、パーソナルコンピュータ（ＰＣ）、デスクトップコンピュータ、モバイルコンピュータ、ラップトップコンピュータ、ノートブックコンピュータ、タブレットコンピュータ、スマートフォン装置、サーバコンピュータ、ハンドヘルドコンピュータ、ハンドヘルド装置、携帯情報端末（ＰＤＡ）装置、ハンドヘルドＰＤＡ装置、オンボード装置、オフボード装置、ハイブリッド装置、車両装置（vehicular  device）、非車両装置（non-vehicular  device）、モバイル又はポータブル装置、民生用装置、非モバイル又は非ポータブル装置、無線通信ステーション、無線通信装置、無線アクセスポイント（ＡＰ）、無線ノード、基地局（ＢＳ）、有線又は無線ルータ、有線又は無線モデム、ビデオ装置、オーディオ装置、オーディオ−ビデオ（Ａ／Ｖ）装置、有線又は無線ネットワーク、無線エリアネットワーク、セルラネットワーク、セルラノード、セルラ装置、無線ローカルエリアネットワーク（ＷＬＡＮ）、ＭＩＭＯ（Multiple  Input  Multiple  Output）トランシーバ又はＭＩＭＯ装置、ＳＩＭＯ（Single  Input  Multiple  Output）トランシーバ又はＳＩＭＯ装置、ＭＩＳＯ（Multiple  Input  Single  Output）トランシーバ又はＭＩＳＯ装置、１つ若しくは複数の内部アンテナ及び／又は外部アンテナを有する装置、デジタルビデオ放送（Digital  Video  Broadcast：ＤＶＢ）装置又はＤＶＢシステム、マルチ標準ラジオ装置又はマルチ標準ラジオシステム、有線又は無線ハンドヘルド装置、例えばスマートフォン、ワイヤレスアプリケーションプロトコル（Wireless  Application  Protocol：ＷＡＰ）装置、自動販売機、販売用端末（sell  terminal）など、と共に使用され得る。
【００１４】
いくつかの実施例は、現存するロングタームエボリューション（ＬＴＥ）仕様書（3GPP  TS  36.300  （3GPP  TS  36.300  V11.7.0  (2013-09);  Technical  Specification;  3rd  Generation  Partnership  Project;  Technical  Specification  Group  Radio  Access  Network;  Evolved  Universal  Terrestrial  Radio  Access  (E-UTRA)  and  Evolved  Universal  Terrestrial  Radio  Access  Network  (E-UTRAN);  Overall  description;  Stage  2  (Release  11)）；3GPP  TS  36.331  （3GPP  TS  36.331  V11.5.0  (2013-09);  Technical  Specification;  3rd  Generation  Partnership  Project;  Technical  Specification  Group  Radio  Access  Network;  Evolved  Universal  Terrestrial  Radio  Access  (E-UTRA);  Radio  Resource  Control  (RRC);  Protocol  specification  (Release  11)）；3GPP  TS  36.304  （3GPP  TS  36.304  V11.5.0  (2013-09);  Technical  Specification;  3rd  Generation  Partnership  Project;  Technical  Specification  Group  Radio  Access  Network;  Evolved  Universal  Terrestrial  Radio  Access  (E-UTRA);  User  Equipment  (UE)  procedures  in  idle  mode;  (Release  11)）；3GPP  TS  24.008  （3GPP  TS  24.008  V12.4.0  (2013-12);  Technical  Specification;  3rd  Generation  Partnership  Project;  Technical  Specification  Group  Core  Network  and  Terminals;  Mobile  radio  interface  Layer  3  specification;  Core  network  protocols;  Stage  3  (Release  12)）；3GPP  TS  24.301  （3GPP  TS  24.301  V12.3.0  (2013-12);  Technical  Specification;  3rd  Generation  Partnership  Project;  Technical  Specification  Group  Core  Network  and  Terminals;  Non-Access-Stratum  (NAS)  protocol  for  Evolved  Packet  System  (EPS);  Stage  3  (Release  12)）；3GPP  TS  23.401  （3GPP  TS  23.401  V12.3.0  (2013-12);  Technical  Specification;  3rd  Generation  Partnership  Project;  Technical  Specification  Group  Services  and  System  Aspects;  General  Packet  Radio  Service  (GPRS)  enhancements  for  Evolved  Universal  Terrestrial  Radio  Access  Network  (E-UTRAN)  access  (Release  12)）；3GPP  TS  25.304  （3GPP  TS  25.304  V11.4.0  (2013-09);  Technical  Specification;  3rd  Generation  Partnership  Project;  Technical  Specification  Group  Radio  Access  Network;  User  Equipment  (UE)  procedures  in  idle  mode  and  procedures  for  cell  reselection  in  connected  mode  (Release  11)）；そして3GPP  TS  23.402  （3GPP  TS  23.402  V12.3.0  (2013-12);  Technical  Specification;  3rd  Generation  Partnership  Project;  Technical  Specification  Group  Services  and  System  Aspects;  Architecture  enhancements  for  non-3GPP  accesses  (Release  12)）を含む）、並びに／又はその将来のバージョン、並びに／又はその派生物に従って動作する装置及び／若しくはネットワーク、現存するＩＥＥＥ８０２．１６標準（IEEE-Std  802.16,  2009  Edition,  Air  Interface  or  Fixed  Broadband  Wireless  Access  Systems;  IEEE-Std  802.16e,  2005  Edition,  Physical  and  Medium  Access  Control  Layers  for  Combined  Fixed  and  Mobile  Operation  in  Licensed  Bands;  amendment  to  IEEE  Std  802.16-2009,  developed  by  Task  Group  m）、並びに／又はその将来のバージョン、並びに／又はその派生物に従って動作する装置及び／若しくはネットワーク、上記のネットワークの一部分であるユニット及び／又は装置など、と共に使用され得る。
【００１５】
いくつかの実施例は、１つ又は複数のタイプの無線通信信号及び／又は無線通信システム、例えば、無線周波数（ＲＦ）、周波数分割多重化（ＦＤＭ）、直交ＦＤＭ（ＯＦＤＭ）、単一キャリア周波数分割多元接続（ＳＣ−ＦＤＭＡ）、時分割多重化（ＴＤＭ）、時分割多元接続（ＴＤＭＡ）、拡張ＴＤＭＡ（Extended  TDMA：Ｅ−ＴＤＭＡ）、汎用パケット無線システム（General  Packet  Radio  Service：ＧＰＲＳ）、拡張ＧＰＲＳ、符号分割多元接続（ＣＤＭＡ）、広帯域ＣＤＭＡ（ＷＣＤＭＡ（登録商標））、ＣＤＭＡ２０００、シングルキャリアＣＤＭＡ、マルチキャリアＣＤＭＡ、マルチキャリア変調（ＭＤＭ）、離散マルチトーン（ＤＭＴ）、ブルートゥース（登録商標）、全地球測位システム（ＧＰＳ）、ワイヤレスフィデリティ（ワイファイ：Ｗｉ−Ｆｉ）、ＷｉＭＡＸ（ワイマックス）、ＺｉｇＢｅｅ（商標）（ジグビー）、ウルトラワイドバンド（Ultra-Wideband：ＵＷＢ）、グローバルシステムフォーモバイルコミュニケーション（ＧＳＭ（登録商標））、第２世代（２Ｇ）、２．５Ｇ、３Ｇ、３．５Ｇ、４Ｇ、４．５Ｇ、第５世代（５Ｇ）の移動通信ネットワーク、３ＧＰＰ、ロングタームエボリューション（ＬＴＥ）セルラシステム、ＬＴＥアドバンストセルラシステム、高速ダウンリンクパケットアクセス（ＨＳＤＰＡ）、高速アップリンクパケットアクセス（ＨＳＵＰＡ）、高速パケットアクセス（ＨＳＰＡ）、ＨＳＰＡ＋、シングルキャリア無線伝送技術（１ＸＲＴＴ）、ＥＶ−ＤＯ（Evolution-Data  Optimized）、ＧＳＭ（登録商標）進化型高速データレート（Enhanced  Data  rates  for  GSM（登録商標）  Evolution：ＥＤＧＥ）など、と共に使用され得る。他の実施例が、様々な他の装置、システム及び／又はネットワークにおいて使用され得る。
【００１６】
ここで使用される“無線装置”という用語は、例えば、無線通信が可能である装置、無線通信が可能である通信装置、無線通信が可能である通信ステーション、無線通信が可能であるポータブル装置若しくは非ポータブル装置、又は同様のものを含む。いくつかの例示的な実施例において、無線装置は、コンピュータに統合される周辺装置若しくはコンピュータに取り付けられる周辺装置であり得るか、又は、コンピュータに統合される周辺装置若しくはコンピュータに取り付けられる周辺装置を含み得る。いくつかの例示的な実施例において、“無線装置”という用語は、無線サービスを任意に含み得る。
【００１７】
無線通信信号に関してここで使用される“通信する（communicating）”という用語は、無線通信信号を送信すること、及び／又は無線通信信号を受信することを含む。例えば、無線通信信号を通信することが可能である無線通信ユニットは、少なくとも１つの他の無線通信ユニットに無線通信信号を送信するための無線通信送信機、及び／又は無線通信信号を少なくとも１つの他の無線通信ユニットから受信するための無線通信受信機を含み得る。“通信する”という動詞は、送信する動作又は受信する動作のことを指すために使用され得る。一例において、“信号を通信する”という言いまわしは、第１の装置により信号を送信する動作のことを指し得るとともに、第２の装置により信号を受信する動作を必ずしも含むとは限らないかもしれない。別の例において、“信号を通信する”という言いまわしは、第１の装置により信号を受信する動作のことを指し得るとともに、第２の装置により信号を送信する動作を必ずしも含むとは限らないかもしれない。
【００１８】
ＬＴＥネットワークに関して、いくつかの例示的な実施例がここで説明される。しかしながら、他の実施例が、あらゆる他の適切なセルラネットワーク又はシステム、例えば、ユニバーサル移動体通信システム（ＵＭＴＳ）セルラシステム、ＧＳＭ（登録商標）ネットワーク、３Ｇセルラネットワーク、４Ｇセルラネットワーク、４．５Ｇネットワーク、５Ｇセルラネットワーク、ＷｉＭａｘセルラネットワークなどにおいて実施され得る。
【００１９】
ＷＬＡＮシステムに関して、いくつかの例示的な実施例がここで説明される。しかしながら、他の実施例が、あらゆる他の適切な非セルラネットワークにおいて実施され得る。
【００２０】
いくつかの例示的な実施例は、技術、周波数、セルサイズ、並びに／又は、例えばセルラ、ミリメータ波及び／若しくは同様のものを含むネットワークアーキテクチャの混合物の発展を利用し得る異種ネットワーク（ＨｅｔＮｅｔ）と共に使用され得る。一例において、ＨｅｔＮｅｔは、大きなマクロセルから小さなセル、例えばピコセル及びフェムトセルまで変動する、異なるサイズで分類されたセルの層を有する無線アクセスネットワークを含み得る。他の実施例が、あらゆる他の適切な無線通信ネットワークと共に使用され得る。
【００２１】
ここで使用される“アンテナ”という用語は、１つ又は複数のアンテナ素子、アンテナコンポーネント、アンテナユニット、アンテナアセンブリ及び／又はアンテナアレイのあらゆる適切な構成、構造及び／又は配置を含み得る。いくつかの実施例において、アンテナは、別個の送信アンテナ素子及び受信アンテナ素子を使用して、送信機能及び受信機能を実施し得る。いくつかの実施例において、アンテナは、共通の及び／又は統合された送信／受信素子を使用して、送信機能及び受信機能を実施し得る。例えば、アンテナは、フェーズドアレイアンテナ、単一素子アンテナ、ダイポールアンテナ、ビーム切換アンテナ（switched  beam  antenna）のセット及び／又は同様のものを含み得る。
【００２２】
ここで使用される“セル”という用語は、ネットワーク資源（resource：リソース）の組み合わせ、例えばダウンリンク資源及び任意にアップリンク資源を含み得る。それらの資源は、例えば、セルラノード（同様に“基地局”とも呼ばれる）又は同様のものにより、制御され得るか、及び／又は割り当てられ得る。ダウンリンク資源の搬送周波数とアップリンク資源の搬送周波数との間の結合は、ダウンリンク資源で送信されるシステム情報において示され得る。
【００２３】
ここで使用される“アクセスポイント”（ＡＰ）という言い回しは、１つのステーション（ＳＴＡ）を含むとともに、関連したＳＴＡに対する無線媒体（ＷＭ）を通して分配サービスへのアクセスを提供するエンティティを含み得る。
【００２４】
ここで使用される“ステーション”（ＳＴＡ）という用語は、媒体アクセス制御（ＭＡＣ）の個々にアドレス可能なインスタンスであるとともに、ＷＭへの物理層（ＰＨＹ）インタフェースである、あらゆる論理エンティティを含み得る。
【００２５】
いくつかの例示的な実施例によるシステム１００の構成図を概略的に例示する図１をここで参照する。
【００２６】
図１において示されたように、いくつかの例示的な実施例において、システム１００は、例えば下記で説明されるように、１つ又は複数の無線媒体、例えば無線通信チャネル、セルラチャネル、ＲＦチャネル、ワイヤレスフィデリティ（ＷｉＦｉ）チャネル、ＩＲチャネルなどを介して、内容、データ、情報及び／又は信号を通信することが可能である１つ又は複数の無線通信装置を含み得る。システム１００の１つ又は複数の要素は、任意にあらゆる適切な有線通信リンク上で通信することが可能であり得る。
【００２７】
いくつかの例示的な実施例において、システム１００は、例えば下記で説明されるように、少なくとも１つの無線アクセスネットワーク（ＲＡＮ）１１９、及び／又は少なくとも１つの非セルラネットワークを介して１つ又は複数の有線ネットワーク１８０と通信することが可能である少なくとも１つのユーザ装置（ＵＥ）１０２を含み得る。
【００２８】
いくつかの例示的な実施例において、ネットワーク１８０は、１つ又は複数のパケットデータネットワーク（ＰＤＮ）を含み得る。例えば、ネットワーク１８０は、インターネットネットワーク、ＩＰマルチメディアコアネットワークサブシステム（ＩＭＳ）ネットワーク及び／又はあらゆる他のＰＤＮを含み得る。他の実施例において、ネットワーク１８０は、あらゆる他の適切な追加の及び／又は代替ネットワークを含み得る。
【００２９】
いくつかの例示的な実施例において、ＲＡＮ１１９は、１つ又は複数のセルラノード（“ノード”）により制御された１つ又は複数のセルを含み得る。例えば、ＲＡＮ１１９は、進化型ＮｏｄｅＢ（ｅＮＢ）１０４、ＮｏｄｅＢ１９６、及び／又は、あらゆる他のセルラノード、例えば基地局（ＢＳ）、ベーストランシーバ基地局（ＢＴＳ）など、を含み得る。
【００３０】
いくつかの例示的な実施例において、ｅＮＢ１０４は、無線リソース管理（ＲＲＭ）、無線ベアラ制御、無線許可制御（アクセス制御）、接続モビリティ管理、ＵＥとｅＮＢ無線装置との間のリソーススケジューリング、例えばアップリンク及びダウンリンクの両方におけるＵＥに対するリソースの動的割り当て、ヘッダー圧縮、ユーザデータストリームのリンク暗号化、送信先、例えば別のｅＮＢ又は進化型パケットコア（ＥＰＣ）に対するユーザデータのパケットルーティング、ページングメッセージ、例えば電話の着信及び／若しくは接続要求を、スケジュールすること及び／若しくは送信すること、同報情報の調整、測定報告、並びに／又は、あらゆる他の動作を実行するように構成され得る。
【００３１】
いくつかの例示的な実施例において、システム１００は、例えば下記で説明されるように、同様に、ＵＥ１０２に１つ又は複数のサービスを提供するか、並びに／又は、ＵＥ１０２とＲＡＮ１１９及び／若しくはネットワーク１８０との間の通信を設定するか、及び／若しくは管理するように構成され得るコアネットワーク（ＣＮ又はＣＮＷ）１６０を含み得る。
【００３２】
いくつかの例示的な実施例において、ＣＮ１６０は、ＵＥ１０２とネットワーク１８０のＰＤＮとの間のＰＤＮ接続をサポートするための１つ又は複数のＰＤＮゲートウェイ（ＰＧＷ）１７３を含み得る。
【００３３】
いくつかの例示的な実施例において、ＰＧＷ１７３は、アクセスポイント名（ＡＰＮ）と関連付けられ得る。ＵＥ１０２は、例えば、ＰＧＷ１７３を介したネットワーク１８０に対する接続を容易にするために、ＰＧＷ１７３のＡＰＮを利用し得る。
【００３４】
いくつかの例示的な実施例において、コアネットワーク１６０は、例えば下記で説明されるように、無線アクセス技術（ＲＡＴ）ネットワークの間のＵＥ１０２の移動性のうちの１つ又は複数の移動性関連の態様を管理するためのモビリティマネージャ、例えばモビリティ管理エンティティ（ＭＭＥ）１６２を含み得る。
【００３５】
いくつかの例示的な実施例において、ＭＭＥ１６２は、例えば下記で説明されるように、ＭＭＥ１６２とシステム１００の１つ又は複数の他の要素との間をインタフェースするための１つ又は複数のインタフェースを含み得る。
【００３６】
いくつかの例示的な実施例において、ＭＭＥ１６２は、例えば下記で説明されるように、ｅＮＢ１０４と通信するためのｅＮＢインタフェース１６４を含み得る。例えば、ｅＮＢインタフェース１６４は、Ｓ１アプリケーションプロトコル（ＡＰ）（Ｓ１ＡＰ）に従ってｅＮＢ１０４と通信するためのＳ１−ＭＭＥインタフェースを含み得る。
【００３７】
いくつかの例示的な実施例において、ＭＭＥ１６２は、例えば下記で説明されるように、ホーム加入者サーバ（ＨＳＳ）１６１と通信するためのホーム加入者サーバ（ＨＳＳ）インタフェース１６６を含み得る。例えば、ＨＳＳインタフェース１６６は、Ｓ６インタフェース、又はあらゆる他のインタフェースを含み得る。
【００３８】
いくつかの例示的な実施例において、システム１００は、非セルラネットワーク、例えばＷＬＡＮ、例を挙げるとアクセスポイント（ＡＰ）１０６により管理された基本サービスセット（Basic  Service  Set：ＢＳＳ）を含み得る。
【００３９】
いくつかの例示的な実施例において、非セルラネットワークは、少なくとも部分的にＲＡＮ１１９のカバレージエリアの中にあるかもしれない。例えば、ＡＰ１０６は、ｅＮＢ１０４のカバレージエリアの中にあるかもしれない。
【００４０】
いくつかの例示的な実施例において、ＵＥ１０２は、例えば、モバイルコンピュータ、ＭＤ、ＳＴＡ、ラップトップコンピュータ、ノートブックコンピュータ、タブレットコンピュータ、ウルトラブック（商標）コンピュータ、モバイルインターネット装置、ハンドヘルドコンピュータ、ハンドヘルド装置、記憶装置、ＰＤＡ装置、ハンドヘルドＰＤＡ装置、オンボード装置、オフボード装置、ハイブリッド装置（例えばセルラ電話機能とＰＤＡ装置機能を組み合わせる）、民生用装置、車両装置、非車両装置、モバイル又はポータブル装置、移動電話、セルラ電話、ＰＣＳ装置、モバイル又はポータブルＧＰＳ装置、ＤＶＢ装置、比較的小さな計算装置、非デスクトップコンピュータ、ＣＳＬＬ（Carry  Small  Live  Large）装置、ウルトラモバイル装置（Ultra  Mobile  Device：ＵＭＤ）、ウルトラモバイルＰＣ（Ultra  Mobile  PC：ＵＭＰＣ）、モバイルインターネット装置（Mobile  Internet  Device：ＭＩＤ）、“Ｏｒｉｇａｍｉ”装置又は“Ｏｒｉｇａｍｉ”計算装置、ビデオ装置、オーディオ装置、Ａ／Ｖ装置、ゲーム装置、メディアプレーヤ、スマートフォン、又は同様のものを含み得る。
【００４１】
いくつかの例示的な実施例において、ＵＥ１０２、ｅＮＢ１０４、ＡＰ１０６及び／又はＮｏｄｅＢ１９６は、例えば下記で説明されるように、ＵＥ１０２、ＲＡＮ１１９、ＡＰ１０６の間の無線通信、及び／又は、１つ又は複数の他の無線通信装置との無線通信を実行するための１つ又は複数の無線通信ユニットを含み得る。
【００４２】
いくつかの例示的な実施例において、ＵＥ１０２は、ＲＡＮ１１９と通信するためのセルラトランシーバ（ＴＲｘ）１４６、及びＡＰ１０６と通信するためのＷＬＡＮ  ＴＲｘ１４７を含み得る。
【００４３】
いくつかの例示的な実施例において、セルラＴＲｘ１４６及び／又はＷＬＡＮ  ＴＲｘ１４７は、１つ若しくは複数のアンテナを含み得るか、又は、１つ若しくは複数のアンテナと関連付けられ得る。一例において、ＵＥ１０２は、少なくとも２つのアンテナ、例えばアンテナ１１２及び１１４を含み得るか、又は、あらゆる他の数のアンテナ、例えば１つのアンテナ若しくは２つより多いアンテナを含み得る。
【００４４】
いくつかの例示的な実施例において、アンテナ１１２及び／又は１１４は、無線通信信号、ブロック、フレーム、伝送ストリーム、パケット、メッセージ及び／若しくはデータを送信すること並びに／又は受信することに適切な、あらゆるタイプのアンテナを含み得る。例えば、アンテナ１１２及び／又は１１４は、１つ又は複数のアンテナ素子、アンテナコンポーネント、アンテナユニット、アンテナアセンブリ及び／又はアンテナアレイのあらゆる適切な構成、構造及び／又は配置を含み得る。例えば、アンテナ１１２及び／又は１１４は、フェーズドアレイアンテナ、ダイポールアンテナ、単一素子アンテナ、ビーム切換アンテナ（switched  beam  antenna）のセット及び／又は同様のものを含み得る。
【００４５】
いくつかの実施例において、アンテナ１１２及び／又は１１４は、別個の送信アンテナ素子及び受信アンテナ素子を使用して、送信機能及び受信機能を実施し得る。いくつかの実施例において、アンテナ１１２及び／又は１１４は、共通の及び／又は統合された送信素子／受信素子を用いて、送信機能及び受信機能を実施し得る。
【００４６】
いくつかの例示的な実施例において、セルラＴＲｘ１４６及び／又はＷＬＡＮ  ＴＲｘ１４７は、無線通信信号、ＲＦ信号、フレーム、ブロック、伝送ストリーム、パケット、メッセージ、データ項目及び／若しくはデータを送信並びに／又は受信することができる、１つ若しくは複数の無線送信機、無線受信機及び／又は無線トランシーバを含み得る。
【００４７】
いくつかの例示的な実施例において、ＷＬＡＮ  ＴＲｘ１４７は、ＷＬＡＮリンク上でＡＰ１０６と通信するように構成され得るとともに、セルラトランシーバ１４６は、セルラリンク上でＲＡＮ１１９と通信するように構成され得る。
【００４８】
いくつかの例示的な実施例において、ＷＬＡＮリンクは、例えば、ワイヤレスフィデリティ（ＷｉＦｉ）リンク、ワイヤレスギガビット（Wireless  Gigabit：ＷｉＧｉｇ）リンク又はあらゆる他のリンクを含み得る。いくつかの例示的な実施例において、ＷＬＡＮリンクは、例えば、２．４ギガヘルツ（ＧＨｚ）若しくは５ＧＨｚ周波数帯域、６０ＧＨｚ周波数帯域又はあらゆる他の周波数帯域上のリンクを含み得る。
【００４９】
いくつかの例示的な実施例において、セルラＴＲｘ１４６は、必要に応じて、アンテナビームフォーミング方法を実行することが可能であり得る多入力多出力（ＭＩＭＯ）送信機受信機システム（図示せず）を含み得る。他の実施例において、セルラＴＲｘ１４６は、あらゆる他の送信機及び／又は受信機を含み得る。
【００５０】
いくつかの例示的な実施例において、セルラＴＲｘ１４６は、必要に応じて、データビットをデータシンボルに符号化及び／又は復号するためのターボ復号器及び／又はターボ符号器（図示せず）を含み得る。他の実施例において、セルラＴＲｘ１４６は、あらゆる他の符号器及び／又は復号器を含み得る。
【００５１】
いくつかの例示的な実施例において、セルラＴＲｘ１４６は、例えばＲＡＮ１１９とＵＥ１０２との間のダウンリンクチャネル上のＯＦＤＭ信号、並びに、例えばＵＥ１０２とＲＡＮ１１９との間のアップリンクチャネル上のＳＣ−ＦＤＭＡ信号を通信するように構成されるＯＦＤＭ及び／若しくはＳＣ−ＦＤＭＡの変調器並びに／又は復調器（図示せず）を含み得る。他の実施例において、セルラＴＲｘ１４６は、あらゆる他の変調器及び／又は復調器を含み得る。
【００５２】
いくつかの例示的な実施例において、ＷＬＡＮ  ＴＲｘ１４７は、ＡＰ１０６とのＷＬＡＮリンクを確立し得る。例えば、ＷＬＡＮ  ＴＲｘ１４７は、１つ若しくは複数のＳＴＡ、例えば１つ若しくは複数のＷｉＦｉ  ＳＴＡ及び／又はミリメータ波（ｍｍ  Ｗａｖｅ）ＳＴＡの機能を実行し得る。ＷＬＡＮリンクは、アップリンク及び／又はダウンリンクを含み得る。ＷＬＡＮダウンリンクは、例えば、ＡＰ１０６から１つ又は複数のＳＴＡまでの一方向のリンクを含み得る。アップリンクは、例えば、ＳＴＡからＡＰ１０６までの一方向のリンクを含み得る。
【００５３】
いくつかの例示的な実施例において、ＵＥ１０２は、同様に、例えば、プロセッサ１２４、入力ユニット１１６、出力ユニット１１８、メモリユニット１２０及び記憶装置１２２のうちの１つ又は複数を含み得る。ＵＥ１０２は、任意に、他の適切なハードウェアコンポーネント及び／又はソフトウェアコンポーネントを含み得る。いくつかの例示的な実施例において、ＵＥ１０２のコンポーネントのうちのいくつか又は全ては、共通の筐体若しくはパッケージングに収容され得るとともに、１つ若しくは複数の有線又は無線リンクを用いて相互接続され得るか、若しくは動作可能に関連付けられ得る。
【００５４】
いくつかの例示的な実施例において、ＭＭＥ１６２は、同様に、例えば、プロセッサ１７２及び／又はメモリユニット１７１を含み得る。ＭＭＥ１６２は、任意に、他の適切なハードウェアコンポーネント及び／又はソフトウェアコンポーネントを含み得る。いくつかの例示的な実施例において、ＭＭＥ１６２のコンポーネントのうちのいくつか又は全ては、共通の筐体若しくはパッケージングに収容され得るとともに、１つ若しくは複数の有線又は無線リンクを用いて相互接続され得るか、若しくは動作可能に関連付けられ得る。他の実施例において、ＭＭＥ１６２のコンポーネントは、複数の又は別個の装置に分散され得る。
【００５５】
プロセッサ１２４及び／又はプロセッサ１７２は、例えば、中央処理装置（ＣＰＵ）、デジタルシグナルプロセッサ（ＤＳＰ）、１つ若しくは複数のプロセッサコア、シングルコアプロセッサ、デュアルコアプロセッサ、マルチコアプロセッサ、マイクロプロセッサ、ホストプロセッサ、制御器、複数のプロセッサ若しくは制御器、チップ、マイクロチップ、１つ若しくは複数の回路、回路構成、ロジックユニット、集積回路（ＩＣ）、特定用途向けＩＣ（ＡＳＩＣ）、又は、あらゆる他の適切な多目的若しくは特定のプロセッサ若しくは制御器を含む。プロセッサ１２４は、例えば、ＵＥ１０２のオペレーティングシステム（ＯＳ）の命令、及び／又は、１つ若しくは複数の適切なアプリケーションの命令を実行する。プロセッサ１７２は、例えば、ＭＭＥ１６２のオペレーティングシステム（ＯＳ）の命令、及び／又は、１つ若しくは複数の適切なアプリケーションの命令を実行する。
【００５６】
入力ユニット１１６は、例えば、キーボード、キーパッド、マウス、タッチスクリーン、タッチパッド、トラックボール、スタイラス、マイクロフォン、又は他の適切なポインティングデバイス若しくは入力装置を含む。出力ユニット１１８は、例えば、モニタ、スクリーン、タッチスクリーン、フラットパネルディスプレイ、ブラウン管（ＣＲＴ）ディスプレイユニット、液晶表示（ＬＣＤ）ディスプレイユニット、プラズマディスプレイユニット、１つ若しくは複数のオーディオスピーカ若しくはイヤホン、又は他の適切な出力装置を含む。
【００５７】
メモリユニット１２０は、例えば、ランダムアクセスメモリ（ＲＡＭ）、読み出し専用メモリ（ＲＯＭ）、ダイナミックＲＡＭ（ＤＲＡＭ）、シンクロナスＤＲＡＭ（ＳＤ−ＲＡＭ）、フラッシュメモリ、揮発性メモリ、不揮発性メモリ、キャッシュメモリ、バッファ、短期メモリユニット、長期メモリユニット、又は他の適切なメモリユニットを含む。記憶装置１２２は、例えば、ハードディスクドライブ、フロッピー（登録商標）ディスクドライブ、コンパクトディスク（ＣＤ）ドライブ、ＣＤ−ＲＯＭドライブ、ＤＶＤドライブ、又は他の適切な取り外し可能な若しくは取り外し不可能な記憶装置を含む。メモリユニット１２０及び／又は記憶装置１２２は、例えば、ＵＥ１０２により処理されたデータを記憶し得る。メモリユニット１７１は、例えば、ＭＭＥ１６２により処理されたデータを記憶し得る。
【００５８】
いくつかの例示的な実施例において、ＵＥ１０２は、ＲＡＮ１１９と通信するために、セルラ接続、例えばロングタームエボリューション（ＬＴＥ）セルラ接続、ユニバーサル移動体通信システム（ＵＭＴＳ）接続又はあらゆる他のセルラ接続を利用するとともに、ＡＰ１０６と通信するために、ＷＬＡＮ接続、例えばワイヤレスフィデリティ（ＷｉＦｉ）接続又はあらゆる他のＷＬＡＮ接続を利用するように構成され得る。
【００５９】
いくつかの例示的な実施例において、セルラＴＲｘ１４６は、例えば１つ又は複数のＰＧＷ１７３を介して、１つ又は複数のＰＤＮ接続のトラフィックを通信するために、ＵＥ１０２とＲＡＮ１１９との間のセルラリンクを利用する。
【００６０】
いくつかの例示的な実施例において、ＵＥ１０２は、ＵＥ１０２と１つ又は複数のＰＧＷ１７３との間の１つ又は複数のＰＤＮ接続を介して、１つ又は複数のベアラ、例えば１つ又は複数の進化型パケット交換システム（ＥＰＳ）ベアラを確立し得る。
【００６１】
いくつかの例示的な実施例において、システム１００の１つ又は複数の要素は、技術、周波数、セルサイズ、並びに／又は、例えばセルラ、ＷＬＡＮ及び／若しくは同様のものを含むネットワークアーキテクチャの混合物の発展を利用し得るＨｅｔＮｅｔの機能を実行し得る。
【００６２】
例えば、ＨｅｔＮｅｔは、第１の無線通信環境、例えばセルラネットワークを通してサービスを提供するとともに、別の通信環境、例えばＷＬＡＮに切り替わった場合にサービスを維持するように構成され得る。ＨｅｔＮｅｔ構造は、例えば、顧客需要の急速な変化に最適に応答する、電力消費を削減する、コストを削減する、効率を上げる及び／又はあらゆる他の利益を達成するために、無線通信環境の混合物、例えばＷＬＡＮ環境及びセルラ環境を利用することを可能にし得る。
【００６３】
一例において、システム１００は、ネットワーク能力を増やすために、マクロセルラ配置の上に重ねられる小さいセルの層（tier：ティア）、例えばピコ、フェムト、中継局、ＷｉＦｉ  ＡＰなどを含んでいるマルチティア、マルチ無線アクセス技術（Ｍｕｌｔｉ−ＲＡＴ）ＨｅｔＮｅｔ構造を利用し得る。
【００６４】
別の例において、システム１００は、単一のインフラストラクチャ装置においてＷｉＦｉ及び３ＧＰＰエアインタフェースのような複数の無線通信を統合するＭｕｌｔｉ−ＲＡＴの小さなセルを利用し得る。
【００６５】
他の実施例において、システム１００は、あらゆる他の構造及び／又は配置を実施し得る。
【００６６】
いくつかの例示的な実施例において、例えばＵＥ１０２がＡＰ１０６から十分に強い信号を受信する限り、ＷＬＡＮ接続をデフォルト接続として利用することは、例えば多数のＵＥが同じＡＰに同時につながるならば、ＷＬＡＮの混雑の増加をもたらす可能性があり、それは、言い換えると、ＵＥ１０２とＡＰ１０６との間のＷＬＡＮ接続を介したスループットの減少をもたらす可能性がある。
【００６７】
いくつかの例示的な実施例において、システム１００は、例えば下記で詳細に説明されるように、例えば１つ又は複数の基準及び／又はパラメータに基づいて、ＷＬＡＮ又はセルラネットワークに対するＵＥ１０２の選択的な接続を可能にするように構成され得る。
【００６８】
いくつかの例示的な実施例において、ＵＥ１０２とＲＡＮ１１９及び／又はＡＰ１０６との間の選択的な接続は、例えば、ＷＬＡＮとセルラネットワークとの間の負荷バランシングを可能にし得る。
【００６９】
いくつかの例示的な実施例において、ＵＥ１０２は、ＵＥ１０２により利用されるべきアクセスネットワークをＵＥ１０２が選択し得るＵＥ中心の（同様に、“ＵＥ制御の”と言われる）アクセスネットワーク選択スキームを促進するように構成され得る。
【００７０】
いくつかの例示的な実施例において、ＵＥ１０２は、例えば下記で説明されるように、例えばＷＬＡＮとＲＡＮ１１９との間でトラフィックをステアリングするために、ＵＥ１０２の１つ又は複数の機能を制御するための、及び／又は、ＵＥにより実行される１つ又は複数の通信を制御するための制御器１４５を含み得る。
【００７１】
いくつかの例示的な実施例において、制御器１４５は、適切な回路、例えば制御器１４５の機能の一部分を少なくとも実行するように構成される制御器回路、スケジューラ回路、プロセッサ回路、メモリ回路及び／若しくはあらゆる他の回路を含み得るか、又はそのような適切な回路を使用して実施され得る。さらに、又はその代わりに、制御器１４５の１つ又は複数の機能は、例えば下記で説明されるように、機械及び／又は１つ若しくは複数のプロセッサにより実行され得るロジックにより実施され得る。
【００７２】
いくつかの例示的な実施例において、セルラＴＲｘ１４６は、ＲＡＮ１１９からＲＡＮ支援情報を受信し得る。ＲＡＮ支援情報は、例えば、ＵＥ１０２におけるＵＥ中心のアクセスネットワーク選択を支援するように構成された情報を含み得る。
【００７３】
いくつかの例示的な実施例において、ＲＡＮ支援情報は、例えば、オフロード優先情報（offload  preference  information）、１つ又は複数の信号強度しきい値、例えばリファレンス信号受信電力（ＲＳＲＰ）しきい値、受信信号コード電力（ＲＳＣＰ）しきい値及び／若しくはあらゆる他のしきい値を含んでいる例えば１つ又は複数のセルラしきい値、並びに／又は、あらゆる他のしきい値、パラメータ及び／若しくは支援情報を含み得る。
【００７４】
いくつかの例示的な実施例において、セルラＴＲｘ１４６は、例えばｅＮＢ１０４から無線リソース制御（ＲＲＣ）シグナリングを介して、及び／又はあらゆる他のメッセージを介して、ＲＡＮ支援情報を受信し得る。
【００７５】
いくつかの例示的な実施例において、制御器１４５は、例えば下記で説明されるように、例えばＲＡＮ支援情報を使用して、例えばＰＤＮ接続から例えばＲＡＮ１１９を介してＷＬＡＮ接続に、及び／又は、ＷＬＡＮ接続からＰＤＮ接続に戻るように、トラフィックをステアリングするために、トラフィックステアリング判定を行い得る。
【００７６】
いくつかの例示的な実施例において、１つ又は複数のＰＤＮ接続（“オフロード可能なＰＤＮ接続”）は、ＷＬＡＮにオフロードされることができ、一方、１つ又は複数の他のＰＤＮ接続（“オフロード不可能なＰＤＮ接続”）は、ＷＬＡＮにオフロードされることはできない。例えばＣＮ１６０のオペレータは、例えばあらゆる基準に基づいて、例えば、どのＰＤＮ接続がＷＬＡＮにオフロードされることができるか、及び／又は、どのＰＤＮ接続がＷＬＡＮにオフロードされることができないか、を定義し得る。
【００７７】
いくつかの例示的な実施例において、どのＰＤＮ接続がＷＬＡＮにオフロードされることができるか、及びどのＰＤＮ接続がＷＬＡＮにオフロードされることができないかに関する情報は、例えば下記で説明されるように、例えばＲＡＮ１１９を介してＵＥ１０２に提供され得る。
【００７８】
いくつかの例示的な実施例において、セルラＴＲｘ１４６は、例えば下記で説明されるように、ＲＡＮ１１９からオフロード能力情報を受信し得る。
【００７９】
いくつかの例示的な実施例において、ＲＡＮ１１９を介してＵＥ１０２にオフロード能力情報を提供する能力は、例えば、たとえ他のメッセージングメカニズム、例えばアクセスネットワーク発見及び選択機能（ＡＮＤＳＦ）メカニズムが利用されないとしても、ＵＥ中心のトラフィックステアリングスキームの効率的な実施を可能にし得る。
【００８０】
いくつかの例示的な実施例において、オフロード能力情報は、例えば下記で説明されるように、ＵＥ１０２により利用される１つ又は複数のＰＤＮ接続のうちのどのＰＤＮ接続がＷＬＡＮにオフロードされることができるか、及び／又は、ＵＥ１０２により利用される１つ又は複数のＰＤＮ接続のうちのどのＰＤＮ接続がＷＬＡＮにオフロードされることができないかを示し得る。
【００８１】
いくつかの例示的な実施例において、オフロード能力情報は、例えば下記で説明されるように、ＰＤＮ接続について、例えば各ＰＤＮ接続について、ＰＤＮ接続がＷＬＡＮにオフロード可能であるかどうかを示し得る。
【００８２】
いくつかの例示的な実施例において、セルラＴＲｘ１４６は、例えば下記で説明されるように、非アクセス層（ＮＡＳ）シグナリングを介してオフロード能力情報を受信し得る。
【００８３】
いくつかの例示的な実施例において、セルラＴＲｘ１４６は、例えば下記で説明されるように、ＭＭＥ１６２から、ＮＡＳシグナリングを介してオフロード能力情報を受信し得る。
【００８４】
多の例示的な実施例において、セルラＴＲｘ１４６は、例えば下記で説明されるように、あらゆる他のメッセージを介して、及び／又はＣＮ１６０のあらゆる他の要素から例えばＲＲＣシグナリングを介して、オフロード能力情報を受信し得る。
【００８５】
いくつかの例示的な実施例において、制御器１４５は、例えば下記で説明されるように、ＲＡＮ支援情報及びオフロード能力情報に基づいて、少なくとも１つのＰＤＮ接続のトラフィックをＷＬＡＮにオフロードし得る。
【００８６】
いくつかの例示的な実施例において、制御器１４５は、ＡＰＮの精度及び／又は分解能でＲＡＮ１１９とＷＬＡＮとの間でトラフィックをステアリングするように構成され得る。例えば、もし制御器１４５がＡＰＮに対応するＰＤＮのトラフィックフローをＷＬＡＮに対して、又はＷＬＡＮからステアリングすることを選択するならば、
制御器１４５は、同様に、ＡＰＮの全ての他のトラフィックフロー及び／若しくはトラフィックベアラをＷＬＡＮに対して、又はＷＬＡＮからステアリングし得る。
【００８７】
いくつかの例示的な実施例によるＵＥ２０２、ＷＬＡＮ  ＡＰ２０４、ｅＮＢ２０６及びＣＮ２０８により実行される動作のシーケンス線図を例示する図２を参照する。いくつかの例示的な実施例において、ＵＥ２０２はＵＥ１０２（図１）の機能を実行することができ、ＷＬＡＮ  ＡＰ２０４は、ＡＰ１０６（図１）の機能を実行することができ、ｅＮＢ２０６は、ｅＮＢ１０４（図１）の機能を実行することができ、及び／又はＣＮ２０８は、ＣＮ１６０（図１）の１つ又は複数の要素の機能を実行することができる。
【００８８】
いくつかの例示的な実施例において、ＵＥ２０２は、１つ又は複数のＷＬＡＮの１つ又は複数のＷＬＡＮ識別子２１０、例えばＷＬＡＮ  ＡＰ２０４の識別子を受信し得る。
【００８９】
いくつかの例示的な実施例において、ＷＬＡＮ識別子２１０は、ＲＡＮ１１９（図１）により、例えばＲＲＣシグナリングを介してＵＥ２０２に提供され得る。例えば、ｅＮＢ２０６は、ＵＥ２０２にＷＬＡＮ識別子２１０を含むＲＲＣシグナリングメッセージを送信し得る。一例において、ｅＮＢ２０６は、保守運用管理（Operations,  Administration  and  Management：ＯＡＭ）要素２０９から、又はあらゆる他の情報源（source）から、ＷＬＡＮ識別子を受信し得る（２０８）。
【００９０】
いくつかの例示的な実施例において、ＵＥ２０２は、例えば下記で説明されるように、どのＰＤＮ接続が、及び／又はどのＡＰＮがＷＬＡＮにオフロードされることができるかを示すオフロード能力情報を受信し得る。
【００９１】
いくつかの例示的な実施例において、ＵＥ２０２は、例えば下記で説明されるように、ＣＮ２０８から、例えばＮＡＳシグナリング２１６を介して例えばＭＭＥ１６２（図１）から、オフロード能力情報を受信し得る。
【００９２】
いくつかの例示的な実施例において、ＵＥ２０２は、例えば下記で説明されるように、ｅＮＢ２０６から、例えばＲＲＣシグナリング２１４を介してオフロード能力情報を受信し得る。
【００９３】
いくつかの例示的な実施例において、ＵＥ２０２は、例えばＲＡＮ１１９（図１）から、ＲＡＮ支援情報２１８を受信し得る。例えば、ｅＮＢ２０６は、例えばＵＥ２０２に向けられたＲＲＣシグナリング、同報メッセージなどを介して、ＲＡＮ支援情報を送信し得る。
【００９４】
いくつかの例示的な実施例において、ＷＬＡＮ識別子２１０、オフロード能力情報及びＲＡＮ支援情報は、図２において示された順序に従って通信され得る。他の実施例において、ＷＬＡＮ識別子２１０、オフロード能力情報及びＲＡＮ支援情報は、あらゆる他の異なる順序に従って通信され得る。
【００９５】
いくつかの例示的な実施例において、ＵＥ２０２は、１つ又は複数の測定、例えばＲＡＮ１１９（図１）に対応する測定、及び／又はＷＬＡＮ  ＡＰ２０４に対応する測定、例を挙げると信号強度測定、スループット測定、リンク状態測定などを実行し得る（２２０）。
【００９６】
いくつかの例示的な実施例において、ＵＥ２０２は、１つ又は複数のＰＤＮ接続に関して、トラフィックステアリング判定を行うために、１つ又は複数の規則を評価し得る（２２２）。例えば、１つ又は複数の規則は、例えばＲＡＮ１１９（図１）から受信された１つ又は複数のＲＡＮ規則を含み得る。
【００９７】
いくつかの例示的な実施例において、規則は、例えば１つ又は複数の測定値及びＲＡＮ支援情報に基づいてトラフィックをＷＬＡＮ又はＲＡＮにステアリングすることを選択するように構成された１つ又は複数の規則を含み得る。例えば、制御器１４５（図１）は、例えば、複数の測定値と、例えばＲＡＮ支援情報で受信された複数のしきい値との間の比較に基づいて、ＲＡＮ１１９（図１）からの１つ又は複数のＲＡＮ規則を評価し得る。
【００９８】
一例において、例えば、ＵＥ２０２がＲＡＮ１１９（図１）のノード、例えばｅＮＢ２０６に在圏するとともに、ＵＥ２０２が少なくとも１つのＷＬＡＮ  ＡＰ２０４を検出する場合に、ＵＥ２０２は、下記の規則のうちの１つ又は複数、及び／又は１つ又は複数の他の規則を評価し得る。
【００９９】
【数１】
0006469821.tif 000002
【０１００】
ここで、例えば、measured _metric_Aは、測定されたセルラ信号強度、例えばＬＴＥにおける測定されたＲＳＲＰ／ＲＳＲＱ、又はＵＭＴＳにおける測定されたＲＳＣＰを含むことができ、threshold_A1は、例えば、measured_metric_Aに対応するしきい値を含むことができ、measured_metric_Bは、ＷＬＡＮ信号強度の測定値、例えばＲＳＳＩを含むことができ、threshold_B1は、例えば、measured_metric_Bに対応するしきい値を含むことができ、及び／又は、measured_metric_Cは、ＷＬＡＮパラメータの測定値、例えばＷＬＡＮ  ＢＳＳ負荷（WLAN  BSS  load）、ＷＬＡＮバックホール負荷（WLAN  backhaul  load）若しくはあらゆる他のＷＬＡＮパラメータを含むことができ、threshold_C1は、例えば、measured_metric_Cに対応するしきい値を含むことができる。しきい値threshold_A1、threshold_B1及び／又はthreshold_C1は、例えば、ＲＡＮ支援情報２１８の一部分として提供され得る。
【０１０１】
いくつかの例示的な実施例において、ＵＥ２０２は、１つ又は複数の規則に基づいて、オフロード可能であると示された１つ又は複数のＰＤＮのトラフィックをオフロードするかどうかを選択し得る。例えば、ＵＥは、例えば規則の評価が“真”の結果をもたらす場合に、１つ又は複数のオフロード可能なＰＤＮ接続をＷＬＡＮ  ＡＰ２０４にオフロードすることを選択し得る。例えば、ＵＥは、例えば規則の評価が“偽”の結果をもたらす場合に、１つ又は複数のオフロード可能なＰＤＮ接続をオフロードしないこと、及び／又はＷＬＡＮ  ＡＰ２０６からＲＡＮに１つ又は複数のＰＤＮ接続を戻すことを選択し得る。
【０１０２】
いくつかの例示的な実施例において、ＵＥ２０２は、規則の評価に基づいて、オフロード可能なＰＤＮ接続のトラフィック、例えばオフロード可能なＡＰＮに属する全てのＰＤＮ接続のトラフィックを選択的に移動させ得る（２２４）。例えば、ＵＥ２０２は、例えばもしトラフィックがＷＬＡＮへステアリングされるべきであることを規則の評価が示すならば、例えばＷＬＡＮ制御プロトコル（ＷＬＣＰ）を使用して、オフロード可能なＰＤＮ接続のトラフィックをＷＬＡＮ  ＡＰ２０４に移動させ得る。ＵＥ２０２は、例えばもしトラフィックがＷＬＡＮへステアリングされるべきでないことを規則の評価が示すならば、ＷＬＡＮ  ＡＰ２０４に以前に移動させられたオフロード可能なＰＤＮ接続のトラフィックをＲＡＮに戻るように移動させ得る。
【０１０３】
図１を再度参照すると、いくつかの例示的な実施例において、システム１００は、例えば下記で説明されるように、ＣＮ１６０とＵＥ１０２との間でＮＡＳシグナリングを介してオフロード能力情報を通信するように構成され得る。
【０１０４】
いくつかの例示的な実施例において、ＭＭＥ１６２は、例えば下記で説明されるように、オフロード能力情報を判定するように構成され得る。
【０１０５】
いくつかの例示的な実施例において、ＭＭＥ１６２は、例えば下記で説明されるように、オフロード能力情報を判定するためのオフロード能力判定モジュール１６８を含み得る。
【０１０６】
いくつかの例示的な実施例において、オフロード能力判定モジュール１６８は、適切な回路、例えばモジュール１６８の機能の一部分を少なくとも実行するように構成される制御器回路、スケジューラ回路、プロセッサ回路、メモリ回路及び／若しくはあらゆる他の回路を含み得るか、又はそのような適切な回路を使用して実施され得る。さらに、又はその代わりに、モジュール１６８の１つ又は複数の機能は、例えば下記で説明されるように、機械及び／又は１つ若しくは複数のプロセッサにより実行され得るロジックにより実施され得る。
【０１０７】
いくつかの例示的な実施例において、ＭＭＥ１６２は、特定のＰＤＮ接続を流れるトラフィックがＷＬＡＮにオフロード可能であるかどうかの情報を有するように構成され得る。
【０１０８】
いくつかの例示的な実施例において、例えば、オフロード能力判定モジュール１６８は、例えばＰＤＮ接続が属するＡＰＮに基づいて、ＰＤＮ接続のオフロード能力を判定し得る。
【０１０９】
いくつかの例示的な実施例において、ＭＭＥ１６２は、例えばＨＳＳ１６１から受信され得る例えばオフロード可能なＡＰＮのリストに基づいて、ＰＤＮ接続のオフロード能力を判定するように構成され得る。例えば、ＭＭＥ１６２は、例えばＰＤＮ接続のＡＰＮをオフロード可能なＡＰＮのリストと比較することに基づいて、ＰＤＮ接続がオフロード可能であるかどうかを判定し得る。
【０１１０】
いくつかの例示的な実施例において、ＨＳＳインタフェース１６６は、ＨＳＳ１６１からＡＰＮオフロード能力情報を受信し得る。ＡＰＮオフロード能力情報は、例えば、ＷＬＡＮオフローディングが許可された１つ又は複数のオフロード可能なＡＰＮを示す情報を含み得る。
【０１１１】
いくつかの例示的な実施例において、ＨＳＳインタフェース１６６は、例えばＰＤＮ接続の確立に際して、ＨＳＳ１６１から、例えばアタッチ手順の一部分としてＡＰＮオフロード能力情報を受信し得る。
【０１１２】
いくつかの例示的な実施例において、オフロード能力判定モジュール１６８は、例えば下記で説明されるように、ＡＰＮオフロード能力情報に基づいて、ＵＥ１０２の１つ又は複数のＰＤＮ接続に対応するＰＤＮオフロード能力情報を判定するように構成され得る。例えば、ＰＤＮオフロード能力情報は、例えば上記で説明されたように、ＵＥ１０２の１つ又は複数のＰＤＮ接続のうちのどのＰＤＮ接続がＷＬＡＮにオフロードされることができるか、及び／又は、ＵＥ１０２の１つ又は複数のＰＤＮ接続のうちのどのＰＤＮ接続がＷＬＡＮにオフロードされることができないか、を含み得る。
【０１１３】
他の実施例において、ＭＭＥ１６２は、オフロード可能なＡＰＮのリストを事前設定され得る。
【０１１４】
いくつかの例示的な実施例において、ｅＮＢインタフェース１６４は、例えば下記で説明されるように、ｅＮＢ１０４を介してＵＥ１０２にＰＤＮオフロード能力情報を送信し得る。
【０１１５】
いくつかの例示的な実施例において、ＭＭＥ１６２は、例えばＮＡＳ通知メッセージを使用して、通知手順の一部分としてＵＥ１０２にＰＤＮオフロード能力情報を送信し得る。例えば、ｅＮＢインタフェース１６４は、ＵＥ１０２にＰＤＮ接続に対応するＮＡＳ通知メッセージを送信し得る。ＮＡＳ通知メッセージは、ＰＤＮ接続がオフロード可能であるかどうかという指標を含んでいる通知インジケータ情報要素（Information  Element：ＩＥ）を含み得る。
【０１１６】
いくつかの例示的な実施例において、ＭＭＥ１６２は、例えばＮＡＳ  ＥＰＳセッション管理（EPS  Session  Management：ＥＳＭ）情報要求メッセージを使用して、ＥＰＳセッション管理（ＥＳＭ）情報要求手順の一部分としてＵＥ１０２にＰＤＮオフロード能力情報を送信し得る。例えば、ｅＮＢインタフェース１６４は、ＵＥ１０２にＰＤＮ接続に対応するＮＡＳ  ＥＳＭ情報要求メッセージを送信し得る。ＮＡＳ  ＥＳＭ情報要求メッセージは、ＰＤＮ接続がオフロード可能であるかどうかという指標を含み得る。
【０１１７】
いくつかの例示的な実施例において、ＭＭＥ１６２は、例えば、たとえＲＡＮ１１９がＷＬＡＮとのインタワーキングをサポートしていないとしても、ＵＥ１０２にＰＤＮオフロード能力情報を提供するように構成され得る。
【０１１８】
図３は、いくつかの例示的な実施例によるＵＥ３０２、ｅＮＢ３０４及びＭＭＥ３０６により実行される動作のシーケンス線図の概要の説明図である。例えば、ＵＥ３０２はＵＥ１０２（図１）の機能を実行することができ、ｅＮＢ３０４は、ｅＮＢ１０４（図１）の機能を実行することができ、及び／又はＭＭＥ３０６は、ＭＭＥ１６２（図１）の機能を実行することができる。
【０１１９】
いくつかの例示的な実施例において、ｅＮＢ３０４は、ｅＮＢ３０４がＷＬＡＮとのインタワーキング、例えば３ＧＰＰ−ＷＬＡＮインタワーキングをサポートすることを示す指標３０８をＭＭＥ３０６に送信し得る。
【０１２０】
いくつかの例示的な実施例において、例えば、ｅＮＢ３０４は、１つ又は複数のＳ１ＡＰメッセージの一部分として指標３０８を送信し得る。例えば、ｅＮＢ３０４は、例えば１つ又は複数のS1AP  INITIAL  UEメッセージの一部分として、及び／又は、１つ又は複数のS1AP  UPLINK  NAS  TRANSPORTメッセージの一部分として指標３０８を送信し得る。一例において、ｅＮＢ３０４は、ＭＭＥ３０６に送信された、あらゆるS1AP  INITIAL  UEメッセージの一部分として、及び、あらゆるS1AP  UPLINK  NAS  TRANSPORTメッセージの一部分として指標３０８を送信し得る。
【０１２１】
いくつかの例示的な実施例において、ｅＮＢ３０４は、例えばS1AP  INITIAL  UEメッセージ及び／又はS1AP  UPLINK  NAS  TRANSPORTメッセージの一部分として、ＵＥ３０２がＷＬＡＮとのインタワーキング、例えば３ＧＰＰ−ＷＬＡＮインタワーキングをサポートすることを示す指標をＭＭＥ３０６に送信し得る。
【０１２２】
いくつかの例示的な実施例において、ＭＭＥ３０６は、例えば指標３０８に基づいて、ＰＤＮオフロード能力情報３１０を含むシグナリングメッセージ３１０をＵＥ３０２に送信することをトリガすることを選択し得る。例えば、ＭＭＥ３０６は、例えば内在するＵＥ３０２のＰＤＮ接続に対するトラフィックオフロード能力についてＵＥ３０２に通知するために、例えばＮＡＳ通知メッセージ又はＮＡＳ  ＥＳＭ情報要求メッセージを含むシグナリングメッセージ３１０をトリガし得る。
【０１２３】
いくつかの例示的な実施例において、図１を再度参照すると、ＰＧＷ１７３は、例えば下記で説明されるように、ＵＥ１０２にＰＤＮオフロード能力情報を提供するように構成され得る。
【０１２４】
いくつかの例示的な実施例において、ＰＧＷ１７３は、例えば下記で説明されるように、ＮＡＳシグナリングを介してＵＥ１０２にＰＤＮオフロード能力を提供するように構成され得る。
【０１２５】
いくつかの例示的な実施例において、ＰＧＷ１７３は、特定のＰＤＮ接続を流れるトラフィックがＷＬＡＮにオフロード可能であるかどうかの情報を有するように構成され得る。
【０１２６】
いくつかの例示的な実施例において、ＰＧＷ１７３は、例えばＰＤＮ接続が属するＡＰＮに基づいて、ＰＤＮ接続のオフロード能力を判定し得る。
【０１２７】
いくつかの例示的な実施例において、ＰＧＷ１７３は、例えばＨＳＳ１６１から受信され得るオフロード可能なＡＰＮのリストに基づいて、ＰＤＮ接続のオフロード能力を判定するように構成され得る。例えば、ＰＧＷ１７３は、例えばＰＤＮ接続のＡＰＮをオフロード可能なＡＰＮのリストと比較することに基づいて、ＰＤＮ接続がオフロード可能であるかどうかを判定し得る。
【０１２８】
いくつかの例示的な実施例において、ＰＧＷ１７３は、例えばＰＤＮ接続の確立に際して、ＨＳＳ１６１から、例えばアタッチ手順の一部分としてＡＰＮオフロード能力情報を受信し得る。
【０１２９】
いくつかの例示的な実施例において、ＰＧＷ１７３は、ＡＰＮオフロード能力情報に基づいて、ＵＥ１０２の１つ又は複数のＰＤＮ接続に対応するＰＤＮオフロード能力情報を判定するように構成され得る。例えば、ＰＤＮオフロード能力情報は、例えば上記で説明されたように、ＵＥ１０２の１つ又は複数のＰＤＮ接続のうちのどのＰＤＮ接続がＷＬＡＮにオフロードされることができるか、及び／又は、ＵＥ１０２の１つ又は複数のＰＤＮ接続のうちのどのＰＤＮ接続がＷＬＡＮにオフロードされることができないか、を含み得る。
【０１３０】
他の実施例において、ＰＧＷ１７３は、オフロード可能なＡＰＮのリストを事前設定され得る。
【０１３１】
いくつかの例示的な実施例において、ＰＧＷ１７３は、例えばＰＤＮ接続の確立に際して、例えばアタッチ手順の一部分として、又はＵＥが要求したＰＤＮ接続手順の一部分としてＵＥ１０２にＰＤＮ接続に対応するＰＤＮオフロード能力情報を送信し得る。
【０１３２】
いくつかの例示的な実施例において、ＰＧＷ１７３は、例えばＰＤＮ接続の確立に際して、ＰＤＮ接続に対応するオフロード能力パラメータを含んでいるプロトコル設定オプション（Protocol  Configuration  Option：ＰＣＯ）ＩＥを含むメッセージをＵＥ１０２に送信し得る。ＰＣＯ  ＩＥのオフロード能力パラメータは、例えば下記で説明されるように、ＰＤＮ接続上で伝達されるトラフィックがＷＬＡＮにオフロード可能であるかどうかをＵＥ１０２に示すように構成され得る。
【０１３３】
いくつかの例示的な実施例において、ＰＧＷ１７３は、例えば、GPRS  Tunneling  Protocol  for  the  control  plane（コントロールプレーンのためのＧＰＲＳトンネリングプロトコル）（ＧＴＰ−Ｃ）メッセージ、例えばGTP-C  Create  Session  Response（ＧＴＰ−Ｃセッション応答作成）メッセージ、ＮＡＳメッセージ、例えばNAS  PDN  Connectivity  Accept（ＮＡＳ  ＰＤＮ接続承認）メッセージ、又は、あらゆる他のタイプのメッセージの一部分としてＵＥ１０２にＰＣＯ  ＩＥを送信し得る。
【０１３４】
いくつかの例示的な実施例において、ＰＧＷ１７３は、例えば下記のように、ＰＣＯ  ＩＥにおける“追加のパラメータリスト（Additional  Parameter  list）”の要素の一部分としてＵＥ１０２にＰＤＮオフロード能力情報を送信し得る。
【０１３５】
−0001H  (P-CSCF  IPv6  Address);
−0002H  (IM  CN  Subsystem  Signaling  Flag);
−0003H  (DNS  Server  IPv6  Address);
−0004H  (Policy  Control  rejection  code);
−0005H  (Selected  Bearer  Control  Mode);
−0006H  (Reserved);
−0007H  (DSMIPv6  Home  Agent  Address);
−0008H  (DSMIPv6  Home  Network  Prefix);
−0009H  (DSMIPv6  IPv4  Home  Agent  Address);
−000AH  (Reserved);
−000BH  (Reserved);
−000CH  (P-CSCF  IPv4  Address);
−000DH  (DNS  Server  IPv4  Address);
−000EH  (MSISDN);
−000FH  (IFOM-Support);
−0010H  (IPv4  Link  MTU);
−0011H  (Network  support  of  Local  address  in  TFT  indicator);
−FF00H  to  FFFFH  reserved  for  operator  specific  use;
−0012H  (Offloadable
traffic（オフロード可能なトラフィック）)
【０１３６】
例えば、ＰＤＮ接続に対応するＰＣＯ  ＩＥに含まれる場合に、要素００１２Ｈ（Offloadable  traffic：オフロード可能なトラフィック）は、ＰＤＮ接続がＷＬＡＮにオフロード可能であるかどうかを示し得る。
【０１３７】
いくつかの例示的な実施例において、ＰＤＮオフロード能力情報は、例えば下記で説明されるように、例えばｅＮＢ１０４によりＲＲＣシグナリングを介してＵＥ１０２に提供され得る。
【０１３８】
いくつかの例示的な実施例において、ＣＮ１６０は、ｅＮＢ１０４に対して、例えば下記で説明されるように、どのベアラ、例えばデータラジオベアラ（Data  Radio  Bearer：ＤＲＢ）がＷＬＡＮにオフロードされることができるかを示す情報を提供するように構成され得る。
【０１３９】
いくつかの例示的な実施例において、ｅＮＢ１０４は、ラジオアクセスベアラ（Radio  Access  bearer）、例えばＥＵＴＲＡＮラジオアクセスベアラ（Ｅ−ＲＡＢ）に対するＤＲＢのマッピングを維持し得る。
【０１４０】
いくつかの例示的な実施例において、ＣＮ１６０は、ＵＥ１０４に対して、例えばどのＥ−ＲＡＢがＷＬＡＮにオフロード可能であるか、及び／又はどのＥ−ＲＡＢがＷＬＡＮにオフロード可能でないかを示すためのベアラオフロード能力情報を提供するように構成され得る。
【０１４１】
いくつかの例示的な実施例において、オフロード能力判定モジュール１６８は、例えば上記で説明されたように、例えばＡＰＮオフロード能力情報に基づいて、どのＥ−ＲＡＢがＷＬＡＮにオフロード可能であるか、及び／又はどのＥ−ＲＡＢがＷＬＡＮにオフロード可能でないかを判定するように構成され得る。
【０１４２】
いくつかの例示的な実施例において、ＭＭＥ１６２は、例えばｅＮＢインタフェース１６４を介して、ｅＮＢ１０４にベアラオフロード能力情報を送信し得る。
【０１４３】
いくつかの例示的な実施例において、ＭＭＥ１６２は、Ｓ１ＡＰメッセージの一部分として、例えばE-RAB  Setup  Request（Ｅ−ＲＡＢセットアップ要求）メッセージ、E-RAB  Modify  Request（Ｅ−ＲＡＢ修正要求）メッセージ及び／又はあらゆる他のＳ１ＡＰメッセージの一部分としてｅＮＢ１０４にベアラオフロード能力情報を送信し得る。
【０１４４】
一例において、E-RAB  Setup  Request（Ｅ−ＲＡＢセットアップ要求）メッセージは、例えば下記のように、専用のＩＥ（“WLAN  offloadable  flag（ＷＬＡＮオフロード可能フラグ）”）の一部分として、ベアラオフロード能力情報を含み得る。
【０１４５】
E-RAB SETUP REQUEST（Ｅ−ＲＡＢセットアップ要求）
This  message  is  sent  by  the  MME  and  is  used  to  request  the  eNB  to  assign  resources  on  Uu  and  S1  for  one  or  several  E-RABs.（このメッセージは、ＭＭＥにより送信され、そして１つ又はいくつかのＥ−ＲＡＢに対してＵｕとＳ１上のリソースを割り当てるようにｅＮＢに要求するために使用される。）
Direction: MME→ eNB（方向：MME→ eNB）
【０１４６】
【表１】
0006469821.tif 000003
【０１４７】
いくつかの例示的な実施例において、ｅＮＢ１０４は、ＭＭＥ１６２からベアラオフロード能力情報を受信し得るとともに、例えばベアラオフロード能力情報に基づいて、どのＤＲＢがＷＬＡＮにオフロード可能であり得るかを判定し得る。
【０１４８】
いくつかの例示的な実施例において、ｅＮＢ１０４は、どのベアラがＷＬＡＮにオフロードされることができるかを示すために、ＵＥ１０２にＲＲＣシグナリングメッセージを送信し得る。ＲＲＣシグナリングメッセージは、例えば、RRCConnectionSetupメッセージ、RRCConnectionReconfigurationメッセージ及び／又はあらゆる他のＲＲＣメッセージを含み得る。
【０１４９】
一例において、ｅＮＢ１０４は、どのＤＲＢがＷＬＡＮにオフロードされることができるかを示すために、例えば下記のように、ＵＥ１０２に対してＤＲＢ識別子のリストを含むRRCConnectionSetup message（RRCConnectionSetupメッセージ）を、例えばDRB-ToWLANOffloadListの形式で送信し得る。
【０１５０】
【数２】
0006469821.tif 000004
【０１５１】
いくつかの例示的な実施例において、ＵＥ１０２は、ｅＮＢ１０４からＲＲＣシグナリングメッセージを受信し得るとともに、制御器１４５は、例えばＲＲＣメッセージにより示されたオフロード可能なベアラに基づいて、どのＰＤＮがオフロード可能であるかを判定し得る。
【０１５２】
いくつかの例示的な実施例において、制御器１４５は、ＲＲＣメッセージにより示されるＤＲＢに関して、ＤＲＢがどのＰＤＮ接続及びＡＰＮに属するかを判定し得るとともに、制御器１４５は、ＡＰＮに属する全てのＰＤＮ接続のトラフィックを、ＷＬＡＮに対して、又はＷＬＡＮからステアリングし得る。
【０１５３】
いくつかの例示的な実施例において、制御器１４５は、ＰＤＮオフロード能力情報を記憶し得るとともに、制御器１４５は、例えばＵＥ１０２がアイドルモードにあるときでさえも、ＰＤＮオフロード能力情報を使用し得る。
【０１５４】
いくつかの例示的な実施例において、どのＡＰＮがＷＬＡＮにオフロード可能であるかに関するＡＰＮオフロード能力情報は、例えばＯＭＡ−ＤＭ手順又はあらゆる他の手順を使用してＵＥ１０２においてあらかじめ準備され得る。これらの実施例によれば、制御器１４５は、あらかじめ準備されたＡＰＮオフロード能力情報に基づいて、どのＰＤＮ接続がオフロード可能であるかどうかを判定することができ得る。
【０１５５】
図４は、いくつかの例示的な実施例によるＵＥにオフロード能力情報を提供する方法の概要のフローチャートの説明図である。いくつかの例示的な実施例において、図４の方法の１つ又は複数の動作は、ＣＮ要素、例えばＭＭＥ、例を挙げるとＭＭＥ１６２（図１）により実行され得る。
【０１５６】
ブロック４０２において示されたように、方法は、ＵＥの１つ又は複数のＰＤＮ接続のうちのＰＤＮ接続のオフロード能力を判定するステップを含み得る。例えば、オフロード能力判定モジュール１６８（図１）は、例えば上記で説明されたように、ＵＥ１０２（図１）の１つ又は複数のＰＤＮ接続に対応するＰＤＮオフロード能力情報を判定し得る。
【０１５７】
いくつかの例示的な実施例において、ＰＤＮ接続のオフロード能力を判定するステップは、例えば下記で説明されるように、ＰＤＮ接続に対応するＡＰＮのオフロード能力に基づいてＰＤＮのオフロード能力を判定するステップを含み得る。
【０１５８】
ブロック４０４において示されたように、方法は、ＨＳＳからＡＰＮオフロード能力情報を受信するステップであって、ＡＰＮオフロード能力情報が、ＷＬＡＮオフローディングが許可された１つ又は複数のオフロード可能なＡＰＮを示す、ステップを含み得る。例えば、ＨＳＳインタフェース１６６６（図１）は、例えば上記で説明されたように、ＨＳＳ１６１（図１）からＡＰＮオフロード能力情報を受信し得る。
【０１５９】
ブロック４０６において示されたように、方法は、ＵＥの１つ又は複数のＰＤＮ接続のＰＤＮ情報を受信するステップを含み得る。例えば、ＭＭＥ１６２（図１）は、例えば上記で説明されたように、ＵＥ１０２（図１）の１つ又は複数の接続に対応するＰＤＮ情報を受信し得る。
【０１６０】
ブロック４０８において示されたように、方法は、ＡＰＮオフロード能力情報に基づいてＰＤＮ接続のオフロード能力を判定するステップを含み得る。例えば、オフロード能力判定モジュール１６８（図１）は、例えば上記で説明されたように、ＡＰＮオフロード能力情報に基づいてＵＥ１０２（図１）の１つ又は複数のＰＤＮ接続に対応するＰＤＮオフロード能力情報を判定し得る。
【０１６１】
ブロック４１０において示されたように、方法は、ＵＥにＰＤＮ接続のオフロード能力を示すＰＤＮオフロード能力情報を送信するステップを含み得る。例えば、ｅＮＢインタフェース１６４（図１）は、例えば上記で説明されたように、ｅＮＢ１０４（図１）を介してＵＥ１０２（図１）にＰＤＮオフロード能力情報を送信し得る。
【０１６２】
いくつかの例示的な実施例によるＵＥ中心のアクセスネットワーク選択の方法を概略的に例示する図５を参照する。いくつかの実施例において、図５の方法の動作のうちの１つ又は複数は、無線通信システム、例えばシステム１００（図１）、及び／又は、無線通信装置、例えばＵＥ１０２（図１）により実行され得る。
【０１６３】
ブロック５０２において示されたように、方法は、セルラリンクを介して１つ又は複数のＰＤＮ接続のトラフィックを通信するステップを含み得る。例えば、セルラＴＲｘ１４６（図１）は、例えば上記で説明されたように、ＲＡＮ１１９（図１）とのセルラリンクを介して１つ又は複数のＰＤＮ接続のトラフィックを通信し得る。
【０１６４】
ブロック５０４において示されたように、方法は、ＲＡＮ支援情報を受信するステップを含む。例えば、セルラＴＲｘ１４６（図１）は、例えば上記で説明されたように、ＲＡＮ１１９（図１）からＲＡＮ支援情報を受信し得る。
【０１６５】
ブロック５０６において示されたように、方法は、１つ又は複数のＰＤＮ接続のうちのどのＰＤＮ接続がＷＬＡＮにオフロードされることができるかを示すオフロード能力情報を受信するステップを含み得る。例えば、セルラＴＲｘ１４６（図１）は、例えば上記で説明されたように、ＲＡＮ１１９（図１）からＰＤＮオフロード能力情報を受信し得る。
【０１６６】
ブロック５０８において示されたように、方法は、ＲＡＮ支援情報及びオフロード能力情報に基づいて少なくとも１つのＰＤＮ接続のトラフィックをＷＬＡＮにオフロードするステップを含み得る。例えば、制御器１４５（図１）は、例えば上記で説明されたように、ＲＡＮ支援情報及びＰＤＮオフロード能力情報に基づいて少なくとも１つのＰＤＮ接続のトラフィックをＷＬＡＮにオフロードし得る。
【０１６７】
いくつかの例示的な実施例による製造製品６００を概略的に例示する図６を参照する。製品６００は、ロジック６０４を記憶するための非一時的な機械読み取り可能な記憶媒体６０２を含み得る。ロジック６０４は、例えば、ＵＥ１０２（図１）、ｅＮＢ１０４（図１）、ＮｏｄｅＢ１９６（図１）、ＭＭＥ１６２（図１）、制御器１４５（図１）及び／又はオフロード能力判定モジュール１６８（図１）の機能の一部分を少なくとも実行するために、並びに／又は、図４及び／又は図５の方法のうちの１つ又は複数の動作を実行するために、使用され得る。“非一時的な機械読み取り可能な媒体”という言いまわしは、全てのコンピュータ読み取り可能な媒体を含むことを対象にし、唯一の例外は、一時的な伝播している信号である。
【０１６８】
いくつかの例示的な実施例において、製品６００及び／又は機械読み取り可能な記憶媒体６０２は、揮発性メモリ、不揮発性メモリ、取り外し可能又は取り外し不可能なメモリ、消去可能又は消去不可能なメモリ、書き込み可能又は書き換え可能なメモリなどを含む、データを記憶することが可能であるコンピュータ読み取り可能な記憶媒体のうちの１つ又は複数のタイプを含み得る。例えば、機械読み取り可能な記憶媒体６０２は、ＲＡＭ、ＤＲＡＭ、ダブルデータレートＤＲＡＭ（ＤＤＲ−ＤＲＡＭ）、ＳＤＲＡＭ、スタティックＲＡＭ（ＳＲＡＭ）、ＲＯＭ、プログラマブルＲＯＭ（ＰＲＯＭ）、消去可能プログラマブルＲＯＭ（ＥＰＲＯＭ）、電気的消去可能プログラマブルＲＯＭ（ＥＥＰＲＯＭ）、コンパクトディスクＲＯＭ（ＣＤ−ＲＯＭ）、コンパクトディスクレコーダブル（ＣＤ−Ｒ）、コンパクトディスクリライタブル（ＣＤ−ＲＷ）、フラッシュメモリ（例えばＮＯＲ型フラッシュメモリ又はＮＡＮＤ型フラッシュメモリ）、連想メモリ（ＣＡＭ）、ポリマーメモリ、相変化メモリ、強誘電体メモリ、シリコン−酸化物−窒化物−酸化物−シリコン（ＳＯＮＯＳ）メモリ、ディスク、フロッピー（登録商標）ディスク、ハードドライブ、光ディスク、磁気ディスク、カード、磁気カード、光カード、テープ、カセットテープなどを含み得る。コンピュータ読み取り可能記憶媒体は、リモートコンピュータから要求しているコンピュータに対して、通信リンク、例えばモデム、ラジオ、又はネットワーク接続を通る搬送波又は他の伝搬媒体に統合されるデータ信号により伝達されるコンピュータプログラムをダウンロードすること又は転送すること、に関連しているあらゆる適切な媒体を含み得る。
【０１６９】
いくつかの例示的な実施例において、ロジック６０４は、もし機械により実行されたならば機械にここで説明された方法、処理及び／又は動作を実行させ得る命令、データ及び／又はコードを含み得る。機械は、例えば、あらゆる適切な処理プラットフォーム、計算プラットフォーム、計算装置、処理装置、計算システム、処理システム、コンピュータ、プロセッサ、又は同様のものを含み得るとともに、ハードウェア、ソフトウェア、ファームウェアなどのあらゆる適切な組み合わせを用いて実施され得る。
【０１７０】
いくつかの例示的な実施例において、ロジック６０４は、ソフトウェア、ソフトウェアモジュール、アプリケーション、プログラム、サブルーチン、命令、命令セット、演算コード、ワード、値、シンボルなどを含み得るか、又はソフトウェア、ソフトウェアモジュール、アプリケーション、プログラム、サブルーチン、命令、命令セット、演算コード、ワード、値、シンボルなどとして実施され得る。命令は、ソースコード、コンパイルされたコード、解釈されたコード、実行可能コード、静的なコード、動的なコードなどのような、あらゆる適切なタイプのコードを含み得る。命令は、特定の機能を実行するようにプロセッサに命令するためのあらかじめ定義されたコンピュータ言語、方法又はシンタックスに従って実施され得る。命令は、Ｃ、Ｃ＋＋、Ｊａｖａ（登録商標）、ＢＡＳＩＣ、Ｍａｔｌａｂ、パスカル、ビジュアルＢＡＳＩＣ、アセンブリ言語、機械コードなどのような、あらゆる適切な高水準の、低水準の、オブジェクト指向の、ビジュアルの、コンパイルされた、及び／又は、解釈されたプログラミング言語を用いて実施され得る。
【０１７１】
「実例」
下記の実例は、更なる実施例と関係がある。
【０１７２】
実例１は、ユーザ装置（ＵＥ）であって、無線ローカルエリアネットワーク（ＷＬＡＮ）と通信するためのＷＬＡＮトランシーバと、１つ又は複数のパケットデータネットワーク（ＰＤＮ）接続のセルラリンクトラフィックを介して通信するためのセルラトランシーバであって、無線アクセスネットワーク（ＲＡＮ）支援情報、及び上記１つ又は複数のＰＤＮ接続のうちのどのＰＤＮ接続が上記ＷＬＡＮにオフロードされることができるかを示すオフロード能力情報を受信する、上記セルラトランシーバと、上記ＲＡＮ支援情報及び上記オフロード能力情報に基づいて少なくとも１つのＰＤＮ接続のトラフィックを上記ＷＬＡＮにオフロードするための制御回路とを備える、ＵＥを含む。
【０１７３】
実例２は実例１の主題を含むとともに、任意に、上記オフロード能力情報は、各ＰＤＮ接続について、上記ＰＤＮ接続が上記ＷＬＡＮにオフロード可能であるかどうかを示す。
【０１７４】
実例３は実例１又は実例２の主題を含むとともに、任意に、上記セルラトランシーバは、無線リソース制御（ＲＲＣ）シグナリングを介してＲＡＮ支援情報を受信することになる。
【０１７５】
実例４は実例１から実例３のいずれか一つの主題を含むとともに、任意に、上記セルラトランシーバは、モビリティ管理エンティティ（ＭＭＥ）から上記オフロード能力情報を受信することになる。
【０１７６】
実例５は実例４の主題を含むとともに、任意に、上記セルラトランシーバは、非アクセス層（ＮＡＳ）シグナリングを介して上記オフロード能力情報を受信することになる。
【０１７７】
実例６は実例５の主題を含むとともに、任意に、上記セルラトランシーバは、ＮＡＳ通知メッセージにおいて上記オフロード能力情報を受信することになる。
【０１７８】
実例７は実例５の主題を含むとともに、任意に、上記セルラトランシーバは、進化型パケットスイッチ（ＥＰＳ）セッション管理（ＥＳＭ）情報メッセージにおいて上記オフロード能力情報を受信することになる。
【０１７９】
実例８は実例１から実例７のいずれか一つの主題を含むとともに、任意に、上記ＲＡＮ支援情報は、オフロード優先情報を含む。
【０１８０】
実例９は実例１から実例８のいずれか一つの主題を含むとともに、任意に、上記ＲＡＮ支援情報は、１つ又は複数の信号強度しきい値を含む。
【０１８１】
実例１０は実例１から実例９のいずれか一つの主題を含むとともに、任意に、１つ又は複数のアンテナ、メモリ及びプロセッサを備える。
【０１８２】
実例１１は、モビリティ管理エンティティ（ＭＭＥ）であって、ホーム加入者サーバ（ＨＳＳ）からアクセスポイント名（ＡＰＮ）オフロード能力情報を受信するためのＨＳＳインタフェースであって、上記ＡＰＮオフロード能力情報が、無線ローカルエリアネットワーク（ＷＬＡＮ）オフローディングが許可された１つ又は複数のオフロード可能なＡＰＮを示す、上記ＨＳＳインタフェースと、上記ＡＰＮオフロード能力情報に基づいて、ユーザ装置（ＵＥ）の１つ又は複数のパケットデータネットワーク（ＰＤＮ）接続に対応するＰＤＮオフロード能力情報を判定するように構成されるオフロード能力判定回路であって、上記ＰＤＮオフロード能力情報が、上記１つ又は複数のＰＤＮ接続のうちのどのＰＤＮ接続がＷＬＡＮにオフロードされることができるかを示す、上記オフロード能力判定回路と、進化型ＮｏｄｅＢ（ｅＮＢ）を介して上記ＵＥに上記ＰＤＮオフロード能力情報を送信するためのｅＮＢインタフェースとを備える、ＭＭＥを含む。
【０１８３】
実例１２は実例１１の主題を含むとともに、任意に、上記ＡＰＮオフロード能力情報は、オフロード可能なＡＰＮのリストを含む。
【０１８４】
実例１３は実例１１又は実例１２の主題を含むとともに、任意に、上記ＰＤＮオフロード能力情報は、各ＰＤＮ接続について、上記ＰＤＮ接続が上記ＷＬＡＮにオフロード可能であるかどうかを示す。
【０１８５】
実例１４は実例１１から実例１３のいずれか一つの主題を含むとともに、任意に、上記ｅＮＢインタフェースは、非アクセス層（ＮＡＳ）シグナリングを介して上記ＵＥに上記ＰＤＮオフロード能力情報を送信することになる。
【０１８６】
実例１５は実例１４の主題を含むとともに、任意に、上記ｅＮＢインタフェースは、ＮＡＳ通知メッセージにおいて上記ＵＥに上記ＰＤＮオフロード能力情報を送信することになる。
【０１８７】
実例１６は実例１４の主題を含むとともに、任意に、上記ｅＮＢインタフェースは、進化型パケットスイッチ（ＥＰＳ）セッション管理（ＥＳＭ）情報メッセージにおいて上記ＵＥに上記ＰＤＮオフロード能力情報を送信することになる。
【０１８８】
実例１７は実例１１から実例１６のいずれか一つの主題を含むとともに、任意に、メモリ及びプロセッサを備える。
【０１８９】
実例１８は、少なくとも１つのユーザ装置（ＵＥ）を含む無線通信システムであって、上記ＵＥが、１つ又は複数のアンテナと、メモリと、プロセッサと、入力ユニットと、出力ユニットと、無線ローカルエリアネットワーク（ＷＬＡＮ）と通信するためのＷＬＡＮトランシーバと、１つ又は複数のパケットデータネットワーク（ＰＤＮ）接続のセルラリンクトラフィックを介して通信するためのセルラトランシーバであって、無線アクセスネットワーク（ＲＡＮ）支援情報、及び上記１つ又は複数のＰＤＮ接続のうちのどのＰＤＮ接続が上記ＷＬＡＮにオフロードされることができるかを示すオフロード能力情報を受信する、上記セルラトランシーバと、上記ＲＡＮ支援情報及び上記オフロード能力情報に基づいて少なくとも１つのＰＤＮ接続のトラフィックを上記ＷＬＡＮにオフロードするための制御回路とを備える、無線通信システムを含む。
【０１９０】
実例１９は実例１８の主題を含むとともに、任意に、上記オフロード能力情報は、各ＰＤＮ接続について、上記ＰＤＮ接続が上記ＷＬＡＮにオフロード可能であるかどうかを示す。
【０１９１】
実例２０は実例１８又は実例１９の主題を含むとともに、任意に、上記セルラトランシーバは、無線リソース制御（ＲＲＣ）シグナリングを介してＲＡＮ支援情報を受信することになる。
【０１９２】
実例２１は実例１８から実例２０のいずれか一つの主題を含むとともに、任意に、上記セルラトランシーバは、モビリティ管理エンティティ（ＭＭＥ）から上記オフロード能力情報を受信することになる。
【０１９３】
実例２２は実例２１の主題を含むとともに、任意に、上記セルラトランシーバは、非アクセス層（ＮＡＳ）シグナリングを介して上記オフロード能力情報を受信することになる。
【０１９４】
実例２３は実例２２の主題を含むとともに、任意に、上記セルラトランシーバは、ＮＡＳ通知メッセージにおいて上記オフロード能力情報を受信することになる。
【０１９５】
実例２４は実例２２の主題を含むとともに、任意に、上記セルラトランシーバは、進化型パケットスイッチ（ＥＰＳ）セッション管理（ＥＳＭ）情報メッセージにおいて上記オフロード能力情報を受信することになる。
【０１９６】
実例２５は実例１８から実例２４のいずれか一つの主題を含むとともに、任意に、上記ＲＡＮ支援情報は、オフロード優先情報を含む。
【０１９７】
実例２６は実例１８から実例２５のいずれか一つの主題を含むとともに、任意に、上記ＲＡＮ支援情報は、１つ又は複数の信号強度しきい値を含む。
【０１９８】
実例２７は、モビリティ管理エンティティ（ＭＭＥ）を含むコアネットワーク（ＣＮ）であって、上記ＭＭＥが、メモリと、プロセッサと、ホーム加入者サーバ（ＨＳＳ）からアクセスポイント名（ＡＰＮ）オフロード能力情報を受信するためのＨＳＳインタフェースであって、上記ＡＰＮオフロード能力情報が、無線ローカルエリアネットワーク（ＷＬＡＮ）オフローディングが許可された１つ又は複数のオフロード可能なＡＰＮを示す、上記ＨＳＳインタフェースと、上記ＡＰＮオフロード能力情報に基づいて、ユーザ装置（ＵＥ）の１つ又は複数のパケットデータネットワーク（ＰＤＮ）接続に対応するＰＤＮオフロード能力情報を判定するように構成されるオフロード能力判定モジュールであって、上記ＰＤＮオフロード能力情報が、上記１つ又は複数のＰＤＮ接続のうちのどのＰＤＮ接続がＷＬＡＮにオフロードされることができるかを示す、上記オフロード能力判定モジュールと、進化型ＮｏｄｅＢ（ｅＮＢ）を介して上記ＵＥに上記ＰＤＮオフロード能力情報を送信するためのｅＮＢインタフェースとを備える、ＣＮを含む。
【０１９９】
実例２８は実例２７の主題を含むとともに、任意に、上記ＡＰＮオフロード能力情報は、オフロード可能なＡＰＮのリストを含む。
【０２００】
実例２９は実例２７又は実例２８の主題を含むとともに、任意に、上記ＰＤＮオフロード能力情報は、各ＰＤＮ接続について、上記ＰＤＮ接続が上記ＷＬＡＮにオフロード可能であるかどうかを示す。
【０２０１】
実例３０は実例２７から実例２９のいずれか一つの主題を含むとともに、任意に、上記ｅＮＢインタフェースは、非アクセス層（ＮＡＳ）シグナリングを介して上記ＵＥに上記ＰＤＮオフロード能力情報を送信することになる。
【０２０２】
実例３１は実例３０の主題を含むとともに、任意に、上記ｅＮＢインタフェースは、ＮＡＳ通知メッセージにおいて上記ＵＥに上記ＰＤＮオフロード能力情報を送信することになる。
【０２０３】
実例３２は実例３０の主題を含むとともに、任意に、上記ｅＮＢインタフェースは、進化型パケットスイッチ（ＥＰＳ）セッション管理（ＥＳＭ）情報メッセージにおいて上記ＵＥに上記ＰＤＮオフロード能力情報を送信することになる。
【０２０４】
実例３３は、ユーザ装置（ＵＥ）により実行される方法であって、当該方法が、セルラリンクを介して１つ又は複数のパケットデータネットワーク（ＰＤＮ）接続のトラフィックを通信するステップと、無線アクセスネットワーク（ＲＡＮ）支援情報、及び上記１つ又は複数のＰＤＮ接続のうちのどのＰＤＮ接続が無線ローカルエリアネットワーク（ＷＬＡＮ）にオフロードされることができるかを示すオフロード能力情報を受信するステップと、上記ＲＡＮ支援情報及び上記オフロード能力情報に基づいて少なくとも１つのＰＤＮ接続のトラフィックを上記ＷＬＡＮにオフロードするステップとを含む、方法を含む。
【０２０５】
実例３４は実例３３の主題を含むとともに、任意に、上記オフロード能力情報は、各ＰＤＮ接続について、上記ＰＤＮ接続が上記ＷＬＡＮにオフロード可能であるかどうかを示す。
【０２０６】
実例３５は実例３３又は実例３４の主題を含むとともに、任意に、無線リソース制御（ＲＲＣ）シグナリングを介してＲＡＮ支援情報を受信するステップを含む。
【０２０７】
実例３６は実例３３から実例３５のいずれか一つの主題を含むとともに、任意に、モビリティ管理エンティティ（ＭＭＥ）から上記オフロード能力情報を受信するステップを含む。
【０２０８】
実例３７は実例３６の主題を含むとともに、任意に、非アクセス層（ＮＡＳ）シグナリングを介して上記オフロード能力情報を受信するステップを含む。
【０２０９】
実例３８は実例３７の主題を含むとともに、任意に、ＮＡＳ通知メッセージにおいて上記オフロード能力情報を受信するステップを含む。
【０２１０】
実例３９は実例３７の主題を含むとともに、任意に、進化型パケットスイッチ（ＥＰＳ）セッション管理（ＥＳＭ）情報メッセージにおいて上記オフロード能力情報を受信するステップを含む。
【０２１１】
実例４０は実例３３から実例３９のいずれか一つの主題を含むとともに、任意に、上記ＲＡＮ支援情報は、オフロード優先情報を含む。
【０２１２】
実例４１は実例３３から実例４０のいずれか一つの主題を含むとともに、任意に、上記ＲＡＮ支援情報は、１つ又は複数の信号強度しきい値を含む。
【０２１３】
実例４２は、モビリティ管理エンティティ（ＭＭＥ）において実行される方法であって、当該方法が、ホーム加入者サーバ（ＨＳＳ）からアクセスポイント名（ＡＰＮ）オフロード能力情報を受信するステップであって、上記ＡＰＮオフロード能力情報が、無線ローカルエリアネットワーク（ＷＬＡＮ）オフローディングが許可された１つ又は複数のオフロード可能なＡＰＮを示す、ステップと、ユーザ装置（ＵＥ）の１つ又は複数のパケットデータネットワーク（ＰＤＮ）接続のＰＤＮ情報を受信するステップと、上記ＡＰＮオフロード能力情報に基づいて上記１つ又は複数のＰＤＮ接続のうちのＰＤＮ接続のオフロード能力を判定するステップと、上記ＵＥに上記ＰＤＮ接続の上記オフロード能力を示すＰＤＮオフロード能力情報を送信するステップとを含む、方法を含む。
【０２１４】
実例４３は実例４２の主題を含むとともに、任意に、上記ＡＰＮオフロード能力情報は、オフロード可能なＡＰＮのリストを含む。
【０２１５】
実例４４は実例４２又は実例４３の主題を含むとともに、任意に、上記ＰＤＮオフロード能力情報は、各ＰＤＮ接続について、上記ＰＤＮ接続が上記ＷＬＡＮにオフロード可能であるかどうかを示す。
【０２１６】
実例４５は実例４２から実例４４のいずれか一つの主題を含むとともに、任意に、非アクセス層（ＮＡＳ）シグナリングを介して上記ＵＥに上記ＰＤＮオフロード能力情報を送信するステップを含む。
【０２１７】
実例４６は実例４５の主題を含むとともに、任意に、ＮＡＳ通知メッセージにおいて上記ＵＥに上記ＰＤＮオフロード能力情報を送信するステップを含む。
【０２１８】
実例４７は実例４５の主題を含むとともに、任意に、進化型パケットスイッチ（ＥＰＳ）セッション管理（ＥＳＭ）情報メッセージにおいて上記ＵＥに上記ＰＤＮオフロード能力情報を送信するステップを含む。
【０２１９】
実例４８は、少なくとも１つのコンピュータプロセッサにより実行された場合に、上記少なくとも１つのコンピュータプロセッサがユーザ装置（ＵＥ）における方法を実行することを可能にするように機能するコンピュータ実行可能な命令を有する１つ又は複数の有形のコンピュータ読み取り可能な非一時的記憶媒体を含む製品であって、上記方法が、セルラリンクを介して１つ又は複数のパケットデータネットワーク（ＰＤＮ）接続のトラフィックを通信するステップと、無線アクセスネットワーク（ＲＡＮ）支援情報、及び上記１つ又は複数のＰＤＮ接続のうちのどのＰＤＮ接続が無線ローカルエリアネットワーク（ＷＬＡＮ）にオフロードされることができるかを示すオフロード能力情報を受信するステップと、上記ＲＡＮ支援情報及び上記オフロード能力情報に基づいて少なくとも１つのＰＤＮ接続のトラフィックを上記ＷＬＡＮにオフロードするステップとを含む、製品を含む。
【０２２０】
実例４９は実例４８の主題を含むとともに、任意に、上記オフロード能力情報は、各ＰＤＮ接続について、上記ＰＤＮ接続が上記ＷＬＡＮにオフロード可能であるかどうかを示す。
【０２２１】
実例５０は実例４８又は実例４９の主題を含むとともに、任意に、上記方法は、無線リソース制御（ＲＲＣ）シグナリングを介してＲＡＮ支援情報を受信するステップを含む。
【０２２２】
実例５１は実例４８から実例５０のいずれか一つの主題を含むとともに、任意に、上記方法は、モビリティ管理エンティティ（ＭＭＥ）から上記オフロード能力情報を受信するステップを含む。
【０２２３】
実例５２は実例５１の主題を含むとともに、任意に、上記方法は、非アクセス層（ＮＡＳ）シグナリングを介して上記オフロード能力情報を受信するステップを含む。
【０２２４】
実例５３は実例５２の主題を含むとともに、任意に、上記方法は、ＮＡＳ通知メッセージにおいて上記オフロード能力情報を受信するステップを含む。
【０２２５】
実例５４は実例５２の主題を含むとともに、任意に、上記方法は、進化型パケットスイッチ（ＥＰＳ）セッション管理（ＥＳＭ）情報メッセージにおいて上記オフロード能力情報を受信するステップを含む。
【０２２６】
実例５５は実例４８から実例５４のいずれか一つの主題を含むとともに、任意に、上記ＲＡＮ支援情報は、オフロード優先情報を含む。
【０２２７】
実例５６は実例４８から実例５５のいずれか一つの主題を含むとともに、任意に、上記ＲＡＮ支援情報は、１つ又は複数の信号強度しきい値を含む。
【０２２８】
実例５７は、少なくとも１つのコンピュータプロセッサにより実行された場合に、上記少なくとも１つのコンピュータプロセッサがモビリティ管理エンティティ（ＭＭＥ）における方法を実行することを可能にするように機能するコンピュータ実行可能な命令を有する１つ又は複数の有形のコンピュータ読み取り可能な非一時的記憶媒体を含む製品であって、上記方法が、ホーム加入者サーバ（ＨＳＳ）からアクセスポイント名（ＡＰＮ）オフロード能力情報を受信するステップであって、上記ＡＰＮオフロード能力情報が、無線ローカルエリアネットワーク（ＷＬＡＮ）オフローディングが許可された１つ又は複数のオフロード可能なＡＰＮを示す、ステップと、ユーザ装置（ＵＥ）の１つ又は複数のパケットデータネットワーク（ＰＤＮ）接続のＰＤＮ情報を受信するステップと、上記ＡＰＮオフロード能力情報に基づいて上記１つ又は複数のＰＤＮ接続のうちのＰＤＮ接続のオフロード能力を判定するステップと、上記ＵＥに上記ＰＤＮ接続の上記オフロード能力を示すＰＤＮオフロード能力情報を送信するステップとを含む、製品を含む。
【０２２９】
実例５８は実例５７の主題を含むとともに、任意に、上記ＡＰＮオフロード能力情報は、オフロード可能なＡＰＮのリストを含む。
【０２３０】
実例５９は実例５７又は実例５８の主題を含むとともに、任意に、上記ＰＤＮオフロード能力情報は、各ＰＤＮ接続について、上記ＰＤＮ接続が上記ＷＬＡＮにオフロード可能であるかどうかを示す。
【０２３１】
実例６０は実例５７から実例５９のいずれか一つの主題を含むとともに、任意に、上記方法は、非アクセス層（ＮＡＳ）シグナリングを介して上記ＵＥに上記ＰＤＮオフロード能力情報を送信するステップを含む。
【０２３２】
実例６１は実例６０の主題を含むとともに、任意に、上記方法は、ＮＡＳ通知メッセージにおいて上記ＵＥに上記ＰＤＮオフロード能力情報を送信するステップを含む。
【０２３３】
実例６２は実例６０の主題を含むとともに、任意に、上記方法は、進化型パケットスイッチ（ＥＰＳ）セッション管理（ＥＳＭ）情報メッセージにおいて上記ＵＥに上記ＰＤＮオフロード能力情報を送信するステップを含む。
【０２３４】
実例６３は、無線通信の装置であって、当該装置が、セルラリンクを介して１つ又は複数のパケットデータネットワーク（ＰＤＮ）接続のトラフィックを通信するための手段と、無線アクセスネットワーク（ＲＡＮ）支援情報、及び上記１つ又は複数のＰＤＮ接続のうちのどのＰＤＮ接続が無線ローカルエリアネットワーク（ＷＬＡＮ）にオフロードされることができるかを示すオフロード能力情報を受信するための手段と、上記ＲＡＮ支援情報及び上記オフロード能力情報に基づいて少なくとも１つのＰＤＮ接続のトラフィックを上記ＷＬＡＮにオフロードするための手段とを備える、無線通信の装置を含む。
【０２３５】
実例６４は実例６３の主題を含むとともに、任意に、上記オフロード能力情報は、各ＰＤＮ接続について、上記ＰＤＮ接続が上記ＷＬＡＮにオフロード可能であるかどうかを示す。
【０２３６】
実例６５は実例６３又は実例６４の主題を含むとともに、任意に、無線リソース制御（ＲＲＣ）シグナリングを介してＲＡＮ支援情報を受信するための手段を備える。
【０２３７】
実例６６は実例６３から実例６５のいずれか一つの主題を含むとともに、任意に、モビリティ管理エンティティ（ＭＭＥ）から上記オフロード能力情報を受信するための手段を備える。
【０２３８】
実例６７は実例６６の主題を含むとともに、任意に、非アクセス層（ＮＡＳ）シグナリングを介して上記オフロード能力情報を受信するための手段を備える。
【０２３９】
実例６８は実例６７の主題を含むとともに、任意に、ＮＡＳ通知メッセージにおいて上記オフロード能力情報を受信するための手段を備える。
【０２４０】
実例６９は実例６７の主題を含むとともに、任意に、進化型パケットスイッチ（ＥＰＳ）セッション管理（ＥＳＭ）情報メッセージにおいて上記オフロード能力情報を受信するための手段を備える。
【０２４１】
実例７０は実例６３から実例６９のいずれか一つの主題を含むとともに、任意に、上記ＲＡＮ支援情報は、オフロード優先情報を含む。
【０２４２】
実例７１は実例６３から実例７０のいずれか一つの主題を含むとともに、任意に、上記ＲＡＮ支援情報は、１つ又は複数の信号強度しきい値を含む。
【０２４３】
実例７２は、モビリティ管理の装置であって、当該装置が、ホーム加入者サーバ（ＨＳＳ）からアクセスポイント名（ＡＰＮ）オフロード能力情報を受信するための手段であって、上記ＡＰＮオフロード能力情報が、無線ローカルエリアネットワーク（ＷＬＡＮ）オフローディングが許可された１つ又は複数のオフロード可能なＡＰＮを示す、手段と、ユーザ装置（ＵＥ）の１つ又は複数のパケットデータネットワーク（ＰＤＮ）接続のＰＤＮ情報を受信するための手段と、上記ＡＰＮオフロード能力情報に基づいて上記１つ又は複数のＰＤＮ接続のうちのＰＤＮ接続のオフロード能力を判定するための手段と、上記ＵＥに上記ＰＤＮ接続の上記オフロード能力を示すＰＤＮオフロード能力情報を送信するための手段とを備える、モビリティ管理の装置を含む。
【０２４４】
実例７３は実例７２の主題を含むとともに、任意に、上記ＡＰＮオフロード能力情報は、オフロード可能なＡＰＮのリストを含む。
【０２４５】
実例７４は実例７２又は実例７３の主題を含むとともに、任意に、上記ＰＤＮオフロード能力情報は、各ＰＤＮ接続について、上記ＰＤＮ接続が上記ＷＬＡＮにオフロード可能であるかどうかを示す。
【０２４６】
実例７５は実例７２から実例７４のいずれか一つの主題を含むとともに、任意に、非アクセス層（ＮＡＳ）シグナリングを介して上記ＵＥに上記ＰＤＮオフロード能力情報を送信するための手段を備える。
【０２４７】
実例７６は実例７５の主題を含むとともに、任意に、ＮＡＳ通知メッセージにおいて上記ＵＥに上記ＰＤＮオフロード能力情報を送信するための手段を備える。
【０２４８】
実例７７は実例７５の主題を含むとともに、任意に、進化型パケットスイッチ（ＥＰＳ）セッション管理（ＥＳＭ）情報メッセージにおいて上記ＵＥに上記ＰＤＮオフロード能力情報を送信するための手段を備える。
【０２４９】
１つ若しくは複数の実施例を参照してここで説明された機能、動作、構成要素及び／若しくは特徴は、１つ若しくは複数の他の実施例を参照してここで説明された１つ若しくは複数の他の機能、動作、構成要素及び／若しくは特徴と結合され得るか、又は、１つ若しくは複数の他の実施例を参照してここで説明された１つ若しくは複数の他の機能、動作、構成要素及び／若しくは特徴と組み合わせて利用され得るとともに、その逆もまた同様である。
【０２５０】
いくつかの特徴がここで例示されて説明されたが、当業者には、多くの修正物、代替物、変更物及び等価物が思い浮かぶ可能性がある。したがって、添付された請求項は、本開示の真の趣旨に含まれる全てのそのような修正物及び変更物をカバーすることを意図している、ということが理解されるべきである。
【図１】
0006469821.tif 000005
【図２】
0006469821.tif 000006
【図３】
0006469821.tif 000007
【図４】
0006469821.tif 000008
【図５】
0006469821.tif 000009
【図６】
0006469821.tif 000010